(57)【特許請求の範囲】
【請求項１】
従来の変異shrunken-2（sh2）ハイブリッドトウモロコシ、トウモロコシ材料またはトウモロコシの種子と比較して強化された生長力と、従来の変異sugary-1（su1）またはshrunken-2i（sh2-i）ハイブリッドトウモロコシ、トウモロコシ材料またはトウモロコシの種子と比較して強化された、最も食用に適した段階後の一定期間にわたって糖質を保持する能力と、を有するハイブリッドトウモロコシ、トウモロコシ材料またはトウモロコシの種子を作製する方法であって、あらゆる適切な順序で以下のステップ、すなわち、(a) 任意に一つ以上の分子マーカーを使用して、一つ以上の所望の変異胚乳対立遺伝子を単独又は組み合わせでそのゲノムに含むインブレッドトウモロコシの植物系統を同定し、前記変異胚乳対立遺伝子はsugary-1（su1）、sugary enhancer-1 (se1) もしくは shrunken-2 (sh2)、またはそれらの任意の組み合わせであるステップ、(b) shrunken-2i（sh2-i）変異胚乳対立遺伝子をそのゲノムに有するトウモロコシの雌性親植物系統と組合せて遺伝的背景として使用するための所望の遺伝子型を有する、一つ以上のトウモロコシの雌性準同質遺伝子植物系統を作製するステップ、
(c) 任意に一つ以上の分子マーカーを使用して、shrunken-2i（sh2-i）変異胚乳対立遺伝子を、ステップ（b）の前記所望の遺伝的背景を有するトウモロコシの雌性準同一遺伝子トウモロコシ植物系統のゲノムに組み込むステップであって、前記所望の遺伝的背景は、su1su1 se1se1 sh2sh2またはsu1su1 se1se1であることを特徴とするステップ、(d) ステップ（ｃ）の遺伝的背景上に、単独又は組み合わせで組み込まれたshrunken-2i（sh2-i）変異胚乳対立遺伝子をゲノムに有するステップ（ｃ）のトウモロコシ植物の雌性転換準同一遺伝子植物系統を選択するステップであって、前記トウモロコシ植物の雌性転換準同一遺伝子植物系統は、su1su1 se1 se1 sh2-i sh2-iの胚乳対立遺伝子の組合せをそのゲノムに含むことを特徴とするステップ、
(e) shrunken-2i（sh2-i）変異胚乳対立遺伝子をゲノムに含まず、トリプルホモ接合劣性胚乳対立遺伝子構成をゲノムに含むトウモロコシの雄性植物系統と、ステップ（d）で選択された前記トウモロコシの雌性転換準同一遺伝子植物系統とを交雑するステップであって、前記トリプルホモ接合劣性胚乳対立遺伝子構成は、su1su1 se1se1 sh2sh2であることを特徴とするステップ、
(f) 前記ステップ（d）、前記ステップ（e）、または両方の前記ステップ（d）および前記ステップ（e）のトウモロコシ植物から生じる種子または穀粒の、なめらかさ、ふくらみ、または相対的重量、またはこれらの組み合わせを含む特徴について、物理的外観を調べる任意のステップ、
(g) 前記ステップ（d）、前記ステップ（e）または両方のステップ（d）およびステップ（e）のトウモロコシ植物から生じる種子または穀粒について、暖温、低温、または暖温および低温、研究室、フィールド、または研究室およびフィールドでの発芽を一回以上行い、前記種子または前記穀粒が、一つ以上の所望の消費者特性又は生産者特性またはその組合せを有することを検証する任意のステップ、および
(h) 前記ステップ（d）、前記ステップ（e）、または前記ステップ（d）および前記ステップ（e）の両方のトウモロコシ植物から生じる種子または穀粒から栽培された、トウモロコシまたはトウモロコシ部位、またはこれらの組み合わせについて、一つ以上の官能味覚試験、官能果皮柔軟性試験、その他の官能試験を行い、前記トウモロコシまたはトウモロコシ部位についての味、果皮柔軟性、または他の官能特徴、またはこれらの組み合わせを判定する任意のステップ、
を含み、
前記ハイブリッドトウモロコシ、トウモロコシ材料またはトウモロコシの種子は、  従来の変異shrunken-2 (sh2)ハイブリッドトウモロコシ、トウモロコシ材料またはトウモロコシの種子と比較して強化された成長力、および
従来の変異sugary-1 (su1) またはshrunken-2i（sh2-i）ハイブリッドドトウモロコシ、ドトウモロコシ材料またはドトウモロコシの種子と比較して強化された、最も食用に適した段階後の一定期間にわたって糖質を保持する能力を有することを特徴とする方法であって、
前記ステップ(c)のトウモロコシの雌性準同一遺伝子植物系統のゲノムにshrunken-2i (sh2-i)変異胚乳対立遺伝子を組み込むために、一つ以上の分子マーカーを使用する方法。
【請求項２】
食用のトウモロコシ植物、トウモロコシ植物材料、トウモロコシの種子または穀粒を作製する、請求項１に記載の方法。
【請求項３】
食用のスイートコーン植物、スイートコーン植物材料、スイートコーンの種子または穀粒を作製する、請求項２に記載の方法。
【請求項４】
従来の変異sugary-1(su1)またはshrunken-2i（sh2-i）ハイブリッド植物、植物、植物材料または種子と比較すると、前記ハイブリッドトウモロコシ、トウモロコシ材料またはトウモロコシの種子が、最も食用に適した段階直後の１〜７日間にわたって糖質を保持する強化された能力を有する、請求項１に記載の方法。
【請求項５】
従来の変異sugary-1(su1)またはshrunken-2i（sh2-i）ハイブリッド植物、植物、植物材料または種子と比較すると、前記ハイブリッドトウモロコシ、トウモロコシ材料またはトウモロコシの種子が、最も食用に適した段階直後の７〜１４日間にわたって糖質を保持する強化された能力を有する、請求項１に記載の方法。
【請求項６】
前記ハイブリッドトウモロコシ、トウモロコシ材料またはトウモロコシの種子がZea mays．，var. rugosa.に分類される、請求項１に記載の方法。
【請求項７】
従来の変異sugary-1(su1)またはshrunken-2i（sh2-i）ハイブリッド植物、植物、植物材料または種子と比較すると、前記ハイブリッドトウモロコシ、トウモロコシ材料またはトウモロコシの種子が、最も食用に適した段階直後の１〜１４日間にわたって糖質を保持する強化された能力を有する、請求項１に記載の方法。
【請求項８】
前記ハイブリッドトウモロコシ、トウモロコシ材料またはトウモロコシの種子がZea mays．，var. rugosa．に分類される、請求項１に記載の方法。
【請求項９】
前記ハイブリッドトウモロコシ、トウモロコシ材料またはトウモロコシの種子がZea mays．，var. rugosa．に分類される、請求項５に記載の方法。
【請求項１０】
sugary 1 （su1）、sugary enhancer-1（se1）またはshrunken-2 (sh2) の一つ以上の両方の遺伝子座に二つ以上の追加的なホモ接合劣性対立遺伝子構成を有し、shrunken-2（sh-2）の遺伝子座にsh2 sh2-i遺伝子構成を有する遺伝的背景にshrunken-2i（sh2-i）変異対立遺伝子を含んでいるゲノムを含むハイブリッドウモロコシであって、該ハイブリッドトウモロコシは、従来の変異shrunken-2（sh2-i）トウモロコシと比較すると強化された生長力、および、従来の変異sugary-1（su1）またはshrunken-2i（sh2-i）トウモロコシと比較すると強化された最も食用に適した段階の一定期間にわたって糖質を保持する能力を含む他の有益な特徴を一つ以上付与されたことを特徴とするハイブリッドトウモロコシであって、
前記ハイブリッドトウモロコシ植物がsu1su1 se1se1の遺伝的背景にshrunken-2i（sh2-i）変異対立遺伝子をそのゲノムに含むハイブリッドトウモロコシ植物。
【請求項１１】
sugary 1 （su1）、sugary enhancer-1（se1）またはshrunken-2 (sh2) の一つ以上の遺伝子座に二つを超える追加的なホモ接合劣性対立遺伝子構成を有する遺伝的背景にshrunken-2i（sh2-i）変異対立遺伝子を含んでいる請求項１０に記載のハイブリッドトウモロコシ植物。
【請求項１２】
sugary 1 （su1）、sugary enhancer-1（se1）またはshrunken-2 (sh2) の一つ以上の遺伝子座に二つの追加的なホモ接合劣性対立遺伝子構成を有する遺伝的背景にshrunken-2i（sh2-i）変異対立遺伝子を含んでいる請求項１０に記載のハイブリッドトウモロコシ植物。
【請求項１３】
前記ハイブリッドトウモロコシが従来の変異sugary-1（su1）またはshrunken-2i（sh2-i）トウモロコシと比較すると強化された、最も食用に適した段階直後の１〜７日間、１〜１４日間又は７〜１４日間にわたって糖質を保持する能力を有する、請求項１０に記載のハイブリッドトウモロコシ。
【請求項１４】
前記ハイブリッドトウモロコシがZea mays．，var. rugosa.に分類される、請求項１０に記載のハイブリッドトウモロコシ。
【請求項１５】
前記ハイブリッドトウモロコシが従来の変異sugary-1（su1）またはshrunken-2i（sh2-i）トウモロコシと比較すると強化された、最も食用に適した段階直後の１〜７日間にわたって糖質を保持する能力を有する、請求項１３に記載のハイブリッドトウモロコシ。
【請求項１６】
前記ハイブリッドトウモロコシが従来の変異sugary-1（su1）またはshrunken-2i（sh2-i）トウモロコシと比較すると強化された、最も食用に適した段階直後の７〜１４日間にわたって糖質を保持する能力を有する、請求項１３に記載のハイブリッドトウモロコシ。
【請求項１７】
sugary 1 （su1）およびsugary enhancer-1（se1）の一方または両方の遺伝子座に二つ以上の追加的なホモ接合劣性対立遺伝子構成を有し、shrunken-2（sh-2）の遺伝子座にsh2 sh2-i遺伝子構成を有する遺遺伝的背景にshrunken-2i（sh2-i）変異対立遺伝子を含んでいるゲノムを含むトウモロコシの種子であって、該トウモロコシは、従来の変異shrunken-2(sh2)トウモロコシの種子と比較すると強化された生長力、および、従来の変異sugary-1 (su1) またはshrunken-2i（sh2-i）トウモロコシ種子と比較すると強化された最も食用に適した段階の一定期間にわたって糖質を保持する能力及び成長力を付与されたことを特徴とするハイブリッドトウモロコシ種子であって、
前記ハイブリッドトウモロコシ種子がsu1su1 se1se1の遺伝的背景におけるゲノムにshrunken-2i（sh2-i）変異対立遺伝子を含む、ハイブリッドトウモロコシ種子。
【請求項１８】
前記ハイブリッドトウモロコシ種子がsu1su1 se1se1の遺伝的背景におけるゲノムにshrunken-2i（sh2-i）変異対立遺伝子を含む、請求項１７に記載のハイブリッドトウモロコシ種子。
【請求項１９】
sugary 1 （su1）、sugary enhancer-1（se1）またはshrunken-2 (sh2) の一つ以上の遺伝子座に二つを超える追加的なホモ接合劣性対立遺伝子構成を有する遺伝的背景にshrunken-2i（sh2-i）変異対立遺伝子を含んでいる請求項１７に記載のハイブリッドトウモロコシ種子。
【請求項２０】
sugary 1 （su1）、sugary enhancer-1（se1）またはshrunken-2 (sh2) の一つ以上の遺伝子座に二つの追加的なホモ接合劣性対立遺伝子構成を有する遺伝的背景にshrunken-2i（sh2-i）変異対立遺伝子を含んでいる請求項１７に記載のハイブリッドトウモロコシ種子。
【請求項２１】
従来の変異shrunken-2（sh2）ハイブリッドトウモロコシ種子と比較して、最も食用に適した段階直後の１〜７日間にわたって糖質を保持する強化された能力を有する、請求項１７に記載のハイブリッドトウモロコシ種子。
【請求項２２】
従来の変異shrunken-2（sh2）ハイブリッドトウモロコシ種子と比較して、最も食用に適した段階直後の７〜１４日間にわたって糖質を保持する強化された能力を有する、請求項１７に記載のハイブリッドトウモロコシ種子。
【発明の詳細な説明】
【技術分野】
【０００１】
本発明は、優れた味覚特性と相まって、種子の生長力や耐寒性、苗の出芽および植物の
生育のような生産特性ならびに消費者特性を極めて有利に強化した植物、植物材料および
種子を提供する独自の方法、ならびに、このような方法により提供され、上述のような特
性を有する改良植物、改良植物材料、及び改良種子に関するものである。
【背景技術】
【０００２】
（トウモロコシ）
コーン（トウモロコシ，Zea mays）は、自然界にある最も多様な穀類のうちの1種であ
る。コーンには多くの異なるタイプがあり、通常、穀粒胚乳の特徴によって分類される。
コーンで最も一般的なタイプには、フリント種、フラワー種、デント種、ポップ種、スウ
ィート種およびポッド種などがある。各種穀粒の外観は、穀粒自体の胚乳の形態、質およ
び量によって決定される。
【０００３】
スイートコーンはZea mays, var. rugosaとして分類されるコーン植物の一種であって
、白、黄またはバイカラーの穀粒を有し、これらが未成熟の乳状段階であるときには糖の
含量が高いため、非常に甘い。スイートコーン穀粒の糖水準高いほど、浸透ポテンシャル
が低く、穀粒がより多くの水分を取り込む。概して、スイートコーンはトウモロコシの穂
軸から直接に、または穂軸から甘い穀粒を採取して、野菜として、人間の食用とされる。
また、動物飼料または粉末として生産するというよりは、主に生食用として世界中で栽培
される、主要な野菜作物である。
【０００４】
スイートコーンは、飼料用コーンの自発変異体として生じ、コーン穀粒の胚乳内部の糖
の澱粉への転換を制御する遺伝子の自然変異によって生じうる。一般的に穀粒が乾燥およ
び完熟する（デント段階）ときに収穫する家畜飼料用コーン品種と異なり、スイートコー
ンは一般的に未発達（ミルク段階）のときに採集され、穀物としてというよりは野菜とし
て食用とされる。成熟の過程は糖を澱粉に転換させることを伴うので、スイートコーンは
一般的に保存に適さず、穀粒が硬くなる前、および／または澱粉質になる前に、生食、缶
詰、または冷凍で食用とすることができる。収穫後、または茎上に非常に長く残しておい
た場合、一般的なスイートコーンのショ糖は急速に澱粉に転換する。穀粒は、収穫後室温
に24時間程度おくと、ショ糖を50%程度失うおそれがある。
【０００５】
開放授粉した（非ハイブリッド）ホワイトスイートコーンの品種は、19世紀の米国にお
いて広く流通し始めた。今日においても依然として入手可能な最も永続的な品種のうちの
2品種は、Country Gentleman（不規則な列の小さく白い穀粒を有するシューペグ（Shoepe
g）コーン）およびStowell's Evergreenである。20世紀のスイートコーン生産は、以下に
示す重要な開発の影響を受けている。
(i) より均質な成熟、ならびに、品質および耐病性の改善を可能にしたハイブリダイ
ゼーション
(ii)これらの特性に基づく、コーンの甘さと、品種作出の能力とに関与する別個の遺
伝子変異（以下に例示する）の同定
・su（normal sugary）
・se（sugary enhanced）
・sh2（shrunken-2）
多くの品種の連続的な開発により、現在、スイートコーンには何百もの品種がある
【０００６】
スイートコーン植物の果実はコーン穀粒であり、穂先は穂軸上のひとまとまりの穀粒か
ら成る。コーンが単子葉植物であるので、常に偶数の穀粒列がある。穂先は、葉（外皮）
に堅く包まれている。
【０００７】
スイートコーンは、抗酸化活性が非常に高く、心疾患および／または癌の進行のおそれ
を低減することができる。さらに、スイートコーンは、フェルラ酸含有率を増加させて、
更なる健康効果をもたらす。
【０００８】
様々なタイプのスイートコーンに関与するいくつかの既知の遺伝子変異がある。初期の
品種は、変異su1（sugary-1）対立遺伝子に起因するものであった。従来のsu1品種は、約
5〜10重量%の糖質を含む。
【０００９】
shrunken-2（sh2）遺伝子を含むスイートコーンの品種は、典型的には、糖質含有率が
正常レベルより高く、且つ、従来のスイートコーンと比較してより長い貯蔵寿命を有し、
しばしばスーパースイート種と称される。スイートコーンにおけるひとつの特異的な遺伝
子、shrunken-2（sh2）遺伝子は、乳状段階を超えて穀粒を成熟させることで、成熟した
コーン穀粒を乾燥させて縮ませ、苗発芽、早期の出芽、および植物の成長に望ましくない
特性をもたらすものである。従来のsh2スイートコーン穀粒の胚乳は、従来のsu1スイート
コーンより貯蔵澱粉量が少ないが、貯蔵糖質量は約4倍〜約10倍多い。このことは、スイ
ートコーンの長距離輸送を可能にすると共に、製造業者が、糖または塩を追加することな
くスイートコーンを缶詰めにできるようにした。
【００１０】
第3の遺伝子変異はse1（sugary enhanced-1）対立遺伝子である。それはEverlasting H
eritage種のゲノムに組み込まれている。se1対立遺伝子を有する従来のスイートコーン品
種は、概して、貯蔵寿命が比較的長く、糖含有率が約12%〜約20%である（すなわち、従来
のsu1品種と比較すると糖含有率が非常に高い）。
【００１１】
スイートコーンに関与する対立遺伝子は全て劣性であるので、通常、スイートコーンは
、同時に花粉を放出するあらゆる飼料用コーン品種から隔離されなければならない。胚乳
は両親（雌性および雄性）由来の遺伝子から発現し、穀粒は通常堅く、澱粉質である。
【００１２】
トウモロコシは、まず、その胚乳に貯蔵される炭水化物に従って分類された。スイート
コーンに存在する最も識別可能な糖成分はショ糖であり、それはその甘さによる差別化の
非常に大きな要因である。(Abbott and Cobb社, Plant Protection No. 9600094 (1998).
) 遊離還元糖（ブドウ糖およびフルクトース）は、スイートコーン中に極少量存在する。
これらの還元糖は主にショ糖の自然加水分解により生じる。
【００１３】
現在商業的に使用されている、トウモロコシ（および他の作物植物）の胚乳変異遺伝子
の多くを下記の表1に一覧で示す。これらの胚乳変異は、全て、穀粒の発育中の澱粉合成
に影響を及ぼすと考えられており、トウモロコシについて、特徴づけられ、染色体上でマ
ッピングされた。
【００１４】
【表１】
0005852723.tif 000002
表1に示す胚乳変異体の中で、商業的に最も広く使われている変異体は、se1およびsh2で
ある。
【００１５】
（Su1（Sugary-1）変異遺伝子）
スイートコーンに存在する劣性のsugary-1（su1）の遺伝子型は、胚乳発達の間、糖か
ら澱粉への通常の転換を遅らせる（有意に減速する）効果を有し、澱粉の味よりも、極め
て望ましい甘味をもたらす。この遺伝子は、クローニングされスイートコーンの染色体4
の短腕にマッピングされた。そのゲノム配列およびアミノ酸配列翻訳は、「Isolation of
the SU1 starch debranching enzyme, the product of the maize gene sugary 1」とい
う表題の特許文献１および本願明細書に記載されている。
【００１６】
sugary（su1）遺伝子は、細胞プラスチド中で活性のクラスII澱粉脱分枝酵素をコード
する。それは澱粉合成中に澱粉のα-（l,6）分岐結合を加水分解するイソアミラーゼであ
る。(非特許文献１）
【００１７】
sugary（su1）遺伝子は、コーン穀粒全体の糖水準をやや増加させるが、不都合なこと
に、「スーパースイート」コーン品種の総糖含量の約半分に過ぎず、コーンの消費者には
著しく不十分である。さらに、不都合なことに、コーン穀粒中での糖から澱粉への転化が
比較的早いため、食用に最適な段階（穀粒水分約75%）に達した後から、コーン穀粒の甘
味が劣化する前まで、収穫適期を狭めてしまう。
【００１８】
sugary（su1）の遺伝子は、その名前に反して、通常非常に高い糖水準をもたらすもの
ではない。しかしながら、それは通常、フィトグリコーゲンまたは水溶性多糖（WSP）の
レベルを著しく上昇させる。(非特許文献２)フィトグリコーゲンおよびWSPによって、通
常のsu1スイートコーン品種の穀粒の胚乳に、従来のスイートコーン品種の滑らかな質感
およびクリーミーな特徴が得られる。非変異コーンの成熟した胚乳は、一般にほぼ2%のWS
Pを含有するが、sugary（su1）遺伝子のホモ接合のコーン系統は最高で約35%のWSPを含有
し得る。
【００１９】
劣性のsugary-1（su1）遺伝子についての付加的情報は、非特許文献３および非特許文
献４に記載される。
【００２０】
（Se1（Sugary Enhancer-1）変異遺伝子）
sugary enhancer（se1）変異遺伝子は、sugary-1（su1）遺伝子変異体の劣性の変更遺
伝子である。(非特許文献５)ホモ接合の際、sugary enhancer（se1）対立遺伝子は、従来
のsugary-1（su1）品種のコーン穀粒中の総糖を、shrunken-2（sh2）品種コーン穀粒と同
等の水準に増大させ、また、フィトグリコーゲン含量を減少させることがない。
【００２１】
sugary enhancer（se1）遺伝子は、コーン穀粒の総糖量の上昇、色の明化、および乾燥
劣化を遅らせる等の効果があり、これらの効果は、IL1677aと称される近交のコーン系統
に当初から表れていた。これらの効果が、sugary enhancer（se1）遺伝子によるものであ
るということは後になってから判明した。(非特許文献６) 
【００２２】
sugary enhancer（se1）遺伝子により、収穫後の期間のスイートコーン穀粒の含水量が
比較的高くなるとともに、フィトグリコーゲンについても比較的高水準に維持される。こ
の遺伝子の更なる利点は、穀粒皮率が減少し、コーン穀粒が柔らかくなり、および糖マル
トースレベルが上昇することである。(非特許文献７)
【００２３】
sugary enhancer（se1）遺伝子およびsugary（su1）遺伝子が両方劣性の場合、sugary
（su1）遺伝子変異コーン穀粒と比較すると、sugary enhancer（se1）遺伝子は、収穫ピ
ークの成熟したコーン穀粒に約1.5から約2倍のショ糖を非常に有利に含有させる。
【００２４】
sugary enhancer（se1）遺伝子座は、スイートコーンの染色体2の長腕に位置している
。sugary enhancer（se1）遺伝子と同一とみなし得る変異株は、近年、検討され、明らか
とされている。
【００２５】
科学者達は、近年、sugary enhancer（se1）遺伝子の遺伝形質を特定する上での明らか
な困難に直面している。このような困難は、一つには、さらに困難なコンコミタント表現
型測定法（concomitant phenotypic measurement）に起因すると考えられている。
【００２６】
sugary enhancer（se1）遺伝子の酵素の基礎（enzymatic basis）は、現在解明されて
おらず、sugary enhancer（se1）遺伝子のヌクレオチド配列は、現在解明されておらず、
トウモロコシの遺伝学および遺伝子データベース、またはGenBankデータベースにない。
しかしながら、本願明細書に記載のように、sugary enhancer（se1）遺伝子の遺伝は、第
2染色体上の、以下に示す隣接する分子マーカーによって当業者によって決定され得る。
このような決定手法は、他の変異遺伝子についても適用可能である。
【００２７】
sugary enhancer-1（se1）遺伝子についての更なる情報は、非特許文献７および８に記
載されている。
【００２８】
（Sh2（Shrunken-2）変異遺伝子）
1953年に、変異体である劣性shrunken-2（sh2）遺伝子はスイートコーン産業にて応用
できることが示唆された。(非特許文献９) それ以来、高糖含量コーンとshrunken-2 （sh
2）遺伝子に関連する非常に多くの調査が行われている。shrunken-2 （sh2）遺伝子は、
スイートコーンの第3染色体の長腕に位置し、クラスI酵素であるADP-グルコースピロホス
ホリラーゼ（AGP）の大サブユニットをコードする。この酵素は、ショ糖から澱粉への転
換経路において重要である。
【００２９】
従来の、shrunken-2 (sh2)種のスイートコーン（スーパースイートと称される）は、米
国の商業コーン市場の大半を占める。成熟し乾燥したshrunken-2（sh2）種コーン穀粒は
、従来のsugary-1（su1）品種コーン穀粒と比較すると、総糖含有率がおよそ2倍、澱粉濃
度がおよそ1/3〜1/2であり、且つ、フィトグリコーゲンの含有率がごく微量である。Shru
nken-2（sh2）タイプのスイートコーンは、一般に、成熟ピーク時に総炭水化物量が激減
し、従来のsugary-1（su1）変異スイートコーンと比較するとおよそ2倍以上のショ糖を含
有する。更に、これらのスイートコーンにおいて、食用に最適な段階の後（すなわち、食
用に最適な段階直後の一定期間）の糖保持率は、概して、従来のsugary-1（su1）およびs
ugary enhancer-1（se1）変異スイートコーンと比較して非常に良好である。
【００３０】
コーンの遺伝子構造は、shrunken-2（sh2）遺伝子を含むことにより、コーンの甘さが
増大するという有利な効果を奏すること判明している。しかしながら、コーンの遺伝子構
造にこの遺伝子を含むことにより、非常に不利益なことにコーンの水溶性多糖含量を低下
させ、胚乳含量を減らし、そして、澱粉含量（およびこれに付随するエネルギー量）を低
下させることが明らかになった。不都合にも、従来のコーンのshrunken-2（sh2）品種の
水溶性多糖がかように減少すると、概して、従来のsugary-1（su1）およびsugary enhanc
er-1（se1）変異コーン品種のなめらかでクリーミーな質感が欠如する。(非特許文献５) 
また、非常に不都合にも、澱粉含量が減少し、付随してエネルギーが減少した結果、従来
のsugary-1（su1）およびsugary enhancer-1（se1）のスイートコーン品種と比較すると
、従来のコーンのshrunken-2（sh2）種は、発芽、土壌からの出芽、植物の発育、及び成
長過程における、苗の活力、適応性、健全性に著しく乏しい。その結果、コーン植物は、
軽く、貧弱で細長い外観を呈し、容易に損傷するものとなり、環境または他のストレスに
直面した場合に大抵すぐに枯れてしまい、コーン農家は、全てのコーン作物を失い、そし
て、これらの作物からの期待所得を失うおそれがある。スイートコーンのshrunken-2（sh
2）種は、概して、乾燥種子状態（段階）で顕著に押しつぶされた穀粒のような外観を呈
し、この乾燥種子の「しぼんだ（shrunken）」外観および対応して減少している穀粒の澱
粉蓄えにより、苗の出芽および栽植時期または生育中の生長力が比較的減弱する傾向があ
る。概して、正確に種を蒔き、立毛を形成することは、更に非常に難しい。かかる種子の
発芽は、近交種の作出及びハイブリッドの立毛の両方で問題となるおそれがある。
【００３１】
生長力および発芽を改善するために、デントコーン（飼料用コーンの種）は、shrunken
-2 （sh2）遺伝子の遺伝的バックグラウンドとして使用されてきた。しかしながら、優性
デントコーン遺伝子は、飼料用コーンおよびスイートコーンからハイブリッドを遺伝的隔
離せざるを得ず、および、すべての外来の花粉は全てのコーン穀粒をデントコーンの特性
にするおそれがある。
【００３２】
（ショ糖率、糖保持能力および果皮率の比較）
最も食用に適した段階、すなわち、7日間の、sugary-1（su1）遺伝子、sugary enhance
r-1（se1）遺伝子またはshrunken-2（sh2）の遺伝子を含有している従来のスイートコー
ン品種のショ糖量、糖保持（貯留）能力、果皮率および果皮率の変化の比較を、それぞれ
図1-4に示す。(Abbott and Cobb社, Plant Protection No. 9600094 (1998).)
【００３３】
図1は、最も食用に適した段階（含水率約75%）での従来のsugary-1（su1）、sugary en
hancer-1（se1）およびshrunken-2（sh2）遺伝子変異系統の典型的な胚乳ショ糖率の一般
化比較を示す図である。図１は、sugary-1（su1）の系統がショ糖（約7.5%）で最も低い
水準を有し、次にsugary enhancer-1（se1）系統（約12.5%）、そして次にその他の2つの
系統に比べて非常に高いショ糖量を有するshrunken-2（sh2）系統（約27.5%）が続くこと
を示す。
【００３４】
図2は、最も食用に適した段階（含水率約75%）の従来のsugary-1（su1）、sugary enha
ncer-1 （se1）およびshrunken-2（sh2）遺伝子変異系統の7日間（1日目〜7日目）にわた
る、室温での相対的胚乳糖貯留つまり「保持能力」を示す。3つの異なる遺伝子タイプの
胚乳ショ糖率の代表的な経時的変化を示す。図２は、7日間の間、sugary-1（su1）系統の
ショ糖率が常に最低であり（1日目の約4%から、7日目の約1%の範囲）、次いでsugary enh
ancer-1（se1）系統（1日目の約12%から、7日目の約2%の範囲）、さらに、shrunken-2（s
h2）系統が続く。shrunken-2（sh2）系統は、他の2つの系統と比較すると1日目〜7日目の
それぞれで（1日目の約25%から、7日目の約13%の範囲）ショ糖率が非常に高い。
【００３５】
図３は、従来のsugary-1（su1）、sugary enhancer-1（se1）およびshrunken-2（sh2）
遺伝子変異系統の最も食用に適した段階（含水率約75%）での典型的な果皮率の比較を示
す。sugary enhancer-1（se1）系統は果皮率（約0.75%）が最も低く、次にsugary-1（su1
）系統（約1.1%）が続き、そしてその他の2つの系統と比較すると非常に高い果皮率（約1
.6%）を有するshrunken-2（sh2）系統が続くことを示す。
【００３６】
図4は、従来のsugary-1（su1）、sugary enhancer-1（se1）およびshrunken-2 （sh2）
遺伝子変異系統の最も食用に適した段階（含水率約75%）での7日間（1日目〜7日目）にわ
たる室温の相対果皮率を示す。3つの異なる遺伝子型の系統のの果皮率の典型的な経時的
変化を示す。図４は、shrunken-2 （sh2）系統は、7日間の間、概して果皮率が最低であ
り（1日目の約1.6%から、 7日目の約2.1%までの範囲）、次にsugary enhancer-1（se1）
系統（1日目の約1.1%から、7日目の約4.9%までの範囲）およびsugary-1（su1）の系統（1
日目の約1.7%から7日目の約4.9%までの範囲）が続くことを示す。
【００３７】
糖含有率が比較的の高いタイプのコーン、すなわちsugary enhancer-1（se1）およびsh
runken-2（sh2）品種の主要な利点は(i)比較的甘味が強く、(ii)収穫適期が比較的長く、
及び（iii）貯蔵寿命が比較的長いことである。初期の糖含有率が比較的高く、収穫時ま
たは最も食用に適した段階直後一定期間内の糖の減少が比較的緩やかであるため、収穫お
よび取り扱い条件がより柔軟になり、貯蔵寿命がより長くなる。
【００３８】
（Sh2-i（Shrunken-2i）変異遺伝子）
特許文献２は、shrunken-2i（sh2-i）として指定された、shrunken-2（sh2）遺伝子の
変異型の同定およびキャラクタリゼーションを記載する。この変異対立遺伝子（およびそ
の変異株）は、トウモロコシ植物内に存在するとき、sh2-R遺伝子を発現するトウモロコ
シ植物と比較して、発芽特性を強化できることが判明した。本願発明は、この変異対立遺
伝子（および変異株）によって植物を形質転換する方法およびそれらのゲノムに組み込ま
れるこの変異対立遺伝子を有する植物に関するものである。
【００３９】
ADP-グルコースピロホスホリラーゼは、トウモロコシ胚乳酵素であり、澱粉の合成に重
要な酵素であり、ATPおよびα-グルコース−1−リン酸をADPグルコースおよびピロリン酸
へ転換する触媒作用を有する。この酵素の作用に起因するADP-グルコースは、植物の澱粉
生合成のためのブドウ糖の主要な供給源である。AGP酵素は、光合成植物および非光合成
組織から単離された、2つの異なるサブユニットを含有するヘテロテトラマである。
【００４０】
トウモロコシ胚乳ADP-グルコースピロホスホリラーゼは、2つの非連鎖遺伝子shrunken-
2（sh2）およびbrittle-2（bt2）によってコードされる2つの異なるサブユニットから成
る。(非特許文献１０、１１) これらの遺伝子はこの酵素の大サブユニットおよび小サブ
ユニットをそれぞれコードする。shrunken-2遺伝子によって作製されるタンパク質の推定
分子量は、57,179Daである。(非特許文献１２)
【００４１】
shrunken-2（sh2）およびbrittle-2（bt2）トウモロコシ胚乳変異体は、概して、澱粉
含有率が非常に低く、これに対応してAGP活性レベルも低減、または欠損している。いず
れかの遺伝子変異体では、AGP活性が約95%まで減少した(非特許文献１３及び１４) 。変
異酵素は、一般に、反応速度特性が異なり、その酵素活性は機能的野生型shrunken-2（sh
2）およびbrittle-2（bt2）対立遺伝子の数に応じて増大すると認められた。AGPは植物の
澱粉生合成の律速段階であると考えられている(非特許文献１５)。 
【００４２】
AGP酵素サブユニットをコードしている遺伝子のクローニングおよびキャラクタリゼー
ションは、様々な植物について報告されており、トウモロコシ由来のshrunken-2（sh2）c
DNA、shrunken-2（sh2）のゲノムDNA、およびbrittle-2（bt2）cDNA、米由来の小サブユ
ニットcDNAおよびゲノムDNA、ホウレンソウの葉由来の小および大サブユニットcDNA、お
よびジャガイモ塊茎を含む。加えて、cDNAクローンが小麦胚乳および葉組織並びにシロイ
ヌナズナ葉から単離されている。
【００４３】
遺伝子スプライシングは、基本的には2段階の切断-結合反応であり、遺伝子、例えば野
生型shrunken-2（sh2）遺伝子に分子傷害もたらしうる。第一段階にて、5'スプライス部
位で切断が起こり、3'スプライス部位の上流に位置するブランチポイント配列のアデノシ
ン残基によって投げ縄状のイントロンが形成される。この後、エキソンが連結され、投げ
縄状のイントロンが放出される(非特許文献１６、非特許文献１７、非特許文献１８、非
特許文献１９、非特許文献２０、非特許文献２１)。このような、一連の現象は、pre-mRN
Aと、核内低分子RNA（snRNA）およびリボヌクレオソームタンパク質複合体（スプライセ
オソーム）を構成する核タンパク質の集合体とによって実行される。このような、基本的
な過程は、全ての真核細胞での遺伝子発現に共通するものであり、遺伝子発現の制御に多
様な影響を及ぼし得る。例えば、選択的スプライシングは遺伝子発現の制御において重要
であることもあるが、不正確または誤ったpre-mRNAスプライシングによって、突然変異表
現型が生じることもある(非特許文献２２、非特許文献２３、非特許文献２４、非特許文
献２５)脊椎動物のイントロンおよび酵母イントロンから植物イントロンを区別できる構
造的な/配列相違がある。(非特許文献２６、非特許文献２７) 。他の生物のイントロンと
、植物イントロンとを明確に区別する1つの特徴は、ＡＵが多いことである。このことは
、イントロンのプロセシングや、イントロン/エキソン接合の定義づけのために重要であ
ることがこれまでに示されている(非特許文献２８、非特許文献２９、非特許文献３０)。
より厳密には、ＡＵが多い領域は単子葉植物よりも双子葉植物において必須であり、単子
葉植物イントロンにはＧＣが多いものがある。
【００４４】
野生型shrunken-2（sh2）遺伝子すなわち配列番号1に示すヌクレオチド配列は、16のエ
キソンを有し、つまり図5に示されているように15のイントロンによって分離される。こ
の遺伝子の長さは、およそ6000塩基対であると推定される。1つのイントロンは特にsh2-i
対立遺伝子に重要である。「イントロン2」と称されるこのイントロンは、sh2-i遺伝子の
少なくとも約7,800塩基対を含有する。
【００４５】
図5および図9に示すように、野生型shrunken-2（sh2）遺伝子と比較すると、変異shrun
ken-2i（sh2-i）遺伝子はイントロン2末端での1塩基対の変化によって特徴づけられる。
変異ポリヌクレオチドは、イントロン2の終端の野生型末端塩基が、Gから他の塩基、例え
ばA、CまたはT（野生型のGヌクレオチドでない）へ、好ましくはAへ置換されている。例
えば、トウモロコシのshrunken-2遺伝子が、このイントロンの末端ヌクレオチドがGからA
に置換された変異を有する場合、結果的に、この植物遺伝子イントロンの末端にみられる
AGヌクレオチド配列は、このイントロンの3'末端のAA配列に変化する。言い換えると、結
果的に、トウモロコシsh2遺伝子のイントロン2の末端塩基がGからAへ変異し、sh2-i対立
遺伝子の分子傷害を引き起こす。
【００４６】
変異sh2-i対立遺伝子（およびその変異株）が植物（例えばトウモロコシ）で発現した
場合、例えば、発芽並びに苗、種子および／または植物生長力のような繁殖特性が向上し
、これに相まって、例えば甘味などの望ましい消費者特性を有する植物となる。
【００４７】
変異sh2-i対立遺伝子を含有しているインブレッドスイートコーン系統は、最も食用に
適した段階（含水率約75%）で、対応する従来のshrunken-2（sh2）と同様の甘味および糖
水準を一般的に示す。しかしなから、最も食用に適した段階をちょうど過ぎた時点で、変
異sh2-iインブレッド植物系統は、急速に澱粉合成を加速し始める。この結果、対応するs
hrunken-2（sh2）よりも、非常に丸々とし外観で、重く、そして、改良したフリントコー
ン種子の外観にいくらか似ている、乾燥種子表現型となる。最終的に、植物成長特性が強
化されたことに伴って、種子および苗の発芽および生長力、ならびに植物生長力が全体的
に強化される。このようにして、発芽が改善され、植物成長が加速されることで、直接的
に、品種の潜在収量及び収量安定性につながる。
【００４８】
本発明の発明者らによる、研究室での低温土壌発芽試験にて、従来のshrunken-2（sh2
）のハイブリッドトウモロコシの品種と、shrunken-2i（sh2-i）遺伝子を発現するトウモ
ロコシ品種とを比較したところ、sh2-iハイブリッドの方が大幅に高いスコアを示した。
以下に示す表2は、ACX 5137Y（sh2-i対立遺伝子を発現しない）およびACX SS 7501Y（sh2
-i対立遺伝子を発現する）として表わされる準同質遺伝子系統（NIL）のコーンハイブリ
ッドの、研究室での低温土壌発芽スコアを示すものである。これらは、基本的に、sh2-i
対立遺伝子の有無だけが異なる、2つのトウモロコシハイブリッドを比較したものである
。スコアは、各々100穀粒についての反復試験の平均値を示す。
【００４９】
【表２】
0005852723.tif 000003
【００５０】
sh2-i対立遺伝子を含有する、または含有しない従来のshrunken-2（sh2）ハイブリッド
間の、多くの他のハイブリッド比較について、類似の研究室結果が得られている。加えて
、フロリダおよびカリフォルニアにおけるフィールドでの発芽および立毛形成についての
データは、研究室データを実証した。
【００５１】
しかしながら、準同質遺伝子系統（NIL）の多数のコーンハイブリッド（sh2-i対立遺伝
子を含有する、又は含有しない、従来のshrunken-2（sh2）ハイブリッドの戻し交雑によ
る形質転換種）の官能試験では、不利なことに、概して、sh2-iハイブリッドについて、
最も食用に適した段階直後に急速に澱粉含有率が上昇したことを示す甘味評価スコアが得
られた。sh2-iハイブリッドは、最も食用に適した段階直後約24〜約48時間以内に甘味の
減少を示し、最も食用に適した段階の3日目後には多くの糖の劣化および損失を示した。
【００５２】
図6は、最も食用に適した段階（含水率約75%）直後1日〜7日経過時の、変異shrunken-2
i（sh2-i）対立遺伝子を含有しない従来のshrunken-2（sh2）ハイブリッド準同質遺伝子
系統（NIL）の澱粉蓄積の官能平均値について、変異shrunken-2i（sh2-i）対立遺伝子を
含有する従来のshrunken-2（sh2）ハイブリッドの対応する準同質遺伝子系統（NIL）の澱
粉蓄積の官能平均値と比較して示す。官能スコアは、1（ほとんど澱粉風味が無く甘い）
から、10（相当な澱粉風味が有り、ほとんど甘味がない）の範囲である。図6は、変異shr
unken-2i（sh2-i）対立遺伝子を含有しないshrunken-2（sh2）ハイブリッド準同質遺伝子
系統（NIL）は、変異shrunken-2i（sh2-i）対立遺伝子を含有する従来のshrunken-2（sh2
）ハイブリッドに対応する準同質遺伝子系統（NIL）（1日目の約1.9から7日目の約7.9の
範囲）と比較して、非常に低い官能スコア（1日目の約1から7日目の約4の範囲）を有する
ことを示す。
【００５３】
要するに、従来のスイートコーン品種にshrunken-2i（sh2-i）対立遺伝子を組み込むこ
とは、最も食用に適した段階直後の一定期間の澱粉の急速な蓄積することや、これに関連
して貯留性能および貯蔵寿命が損なわれることに鑑みると、非実用的であると考えられる
。
【００５４】
（他の技術の説明）
特許文献３は、商業的な量のハイブリッドスイートコーン種子を作製するために規定さ
れた方法、水溶性多糖含量を大幅に減らすことなくスイートコーンの糖含量を増大させる
ように規定された方法、そして、最少量の甘味料の添加により加工可能なスイートコーン
をもたらす種子を作製するために規定された方法を記載する。それは、shrunken-2（sh2
）遺伝子を用いて、水溶性多糖を大幅に減らさずにスイートコーンの糖含量を増大可能で
あること、およびインブレッドスイートコーン（ホモ接合のsu1sh2）とホモ接合のsugary
-1（su1）インブレッド種であるスイートコーンを組み合わせることで、およそ50%多いシ
ョ糖と、33%多い総糖を含み、さらに、スイートコーン（ホモ接合のsu1）に近い水溶性多
糖類の含有率を有するヘテロ接合のハイブリッドをもたらすことを記載している。高い水
溶性多糖およびショ糖水準は、特に、例えば缶詰および冷凍産業などの食品加工産業にお
いて望ましいとされている。
【００５５】
特許文献４および特許文献５は、Sh2-m1Rev6と表されるトウモロコシ遺伝子shrunken-2
（sh2）の変異遺伝子と、その遺伝子を使用する方法を記載する。Sh2-m1Rev6は、タンパ
ク質のアロステリックな結合部位中またはその近くに追加のアミノ酸が挿入されているAD
P-グルコースピロホスホリラーゼ（AGP）酵素のサブユニットをコードするとされている
。Sh2-m1Rev6遺伝子を発現するコーン種子は、野生型種子よりも重量15%が増加し、この
種子重量の増加は、種子の澱粉含量率の増加と全く関連しないとされている。
【００５６】
特許文献６は、作物種に生産力を与える対立遺伝子に関連するとされる遺伝マーカーを
特定する方法を記載する。特許文献６によれば、現在の選り抜きの系統のセットと、数十
年間に渡る植物育種の過程で、それらを派生させた祖先の個体群の遺伝マーカー分析を行
うことによって、選り抜きの個体の多数の多形性遺伝子座で、予測及び観察された対立遺
伝子頻度を決定および比較できると記載されている。
【００５７】
特許文献１は、トウモロコシ（Zea mays）胚乳において活性なsugary（su1）遺伝子に
よってコードされる澱粉脱分枝酵素、そしてこの酵素をコードするcDNAおよび遺伝子配列
を記載する。その酵素のアミノ酸配列は、α-（1→6）グリコシド結合を加水分解する酵
素、細菌イソアミラーゼのアミノ酸配列と非常に類似であるとされている。特許文献１で
は、su1のアミノ酸配列類似性によって、澱粉加水分解酵素のα-アミラーゼスーパーファ
ミリーの一員として規定するとしている。さらに、特許文献１は、su1タンパク質に反応
性がある抗体、su1タンパク質に対する抗体を作製する方法、su1を含む融合タンパク質を
作製する方法および修飾su1遺伝子を有する遺伝形質転換植物を作製する方法を開示する
。
【００５８】
特許文献６は、植物のAGP-グルコースピロホスホリラーゼの大サブユニットをコードす
る遺伝子の変異対立遺伝子、変異対立遺伝子によって植物を形質転換させる方法、および
ゲノムに組み込まれた変異対立遺伝子を有する植物を記載する。変異対立遺伝子は、トウ
モロコシ植物内にある場合、sh2-R遺伝子を発現する植物よりも良好な発芽特性を植物に
与えるとされている。
【００５９】
特許文献７は、植物の果実サイズおよび／または細胞分裂を制御するとされている核酸
分子の単離および同定、およびこの核酸分子によってコードされるタンパク質を記載する
。特許文献７は、また、コードしている核酸を含有する発現ベクターと、この核酸分子に
よって植物を形質転換することによって、果実サイズを小さく／大きくし、細胞分裂を制
御するとされる方法と、を記載する。それはまた、この核酸分子を含有する宿主細胞、遺
伝形質転換植物および植物種子についても検討している。
【００６０】
特許文献８は、親の系統の一群、例えばハイブリッド植物系統の生産に望ましい能力の
組合せを有する、親インブレッド植物系統（特定の遺伝的背景を有する）を選ぶ方法を記
載する。特許文献８では、このような親インブレッド植物系統を、交雑実験における「優
れたコンバイナ（excellent combiner）」と称する。このような親インブレッド植物系統
と、他の親インブレッド植物系統（異なる遺伝的背景を有する）とを掛け合わせると、2
つの親インブレッド植物系統は、高いヘテロシス効果を有するハイブリッド植物系統を生
じ得るとされ、掛け合わせ、選抜したインブレッド系統は収集され、ハイブリッド植物を
得るために随意に作付および栽培される。特許文献８は、コントロール条件およびストレ
ス条件下でのミトコンドリア内の電子フローをin vitroで測定することによって、前述の
ハイブリッドを含む様々な植物系統の農業生産力を測定する方法も記載する。特許文献８
は、同じ種（品種）由来の一群の植物系統から、生長力および生産力が最高のハイブリッ
ド（またはその他の）植物系統を選択する方法を提供するという目的を記載する。特許文
献８は、生長力の点で影響を受ける植物系統を特定するために使用可能であるとされる、
生長力アッセイ（vigor assay）について記載及び例示する（図１）。
【００６１】
非特許文献３１では、変異対立遺伝子sh2-iおよびsh2-N2340（Maize Stock Center（Ur
bana/Champaign, IL）から公的に入手可能である）をEMS変異誘発によって作製し、中間
表現型または漏出表現型を調整した。また、非特許文献１によれば、sh2-R参照対立遺伝
子と比較して、sh2-iおよびsh2-N2340穀粒は見た目上類似しており、同じ供給源に由来し
、および、成熟時にはそれほど押しつぶされた形状とはならない。非特許文献１によれば
、シークエンシングによって、sh2-iは、イントロン2の3-末端におけるGからAへ変異を包
含し(Lal et al., Plant Physiol. 120:65-72, 1999）、およびsh2-i転写産物のおよそ10
%は、変異体のイントロンスプライス部位を利用して正しくスプライシングされ、中間穀
粒表現型をもたらすアデノシン二リン酸グルコースピロホスホリラーゼ活性を低水準とす
ることが明らかになった。非特許文献１によれば、対立遺伝子sh2-iおよびsh2-N2340が同
じ変異を含むか否か判定するため、若いシュート材料を、発芽させたsh2-N2340穀粒から
取得し、Plant DNAZOL Reagent（Invitrogen, Carlsbad, CA）を使用してゲノムＤＮＡを
調製し、およびエキソン1から4にわたるDNAをLalらによって記載されているプライマーを
使用したPCRによって増幅した。非特許文献１には、PCR産物のシークエンシングによって
、sh2-iおよびsh2-N2340は共に、イントロン2の最終ヌクレオチドにおけるGからAへの変
異を包含していることが判明したので、同じ変異体に2つの異なる意味がある（すなわち
、同じ変異対立遺伝子に2つの異なる名前がある）と思われると記載している。
【先行技術文献】
【特許文献】
【００６２】
【特許文献１】米国特許第5,912,413号明細書
【特許文献２】米国特許第6,184,438号B1明細書
【特許文献３】米国特許第3,971,161号明細書
【特許文献４】米国特許第5,589,618号明細書
【特許文献５】米国特許第5,650,557号明細書
【特許文献６】米国特許第5,746,023号明細書
【特許文献７】米国特許第6,756,524号B2明細書
【特許文献８】米国特許第7,084,320号B2明細書
【非特許文献】
【００６３】
【非特許文献１】JA Shultz et al., "Current Models for Starch Synthesis and the Sugary Enhancer 1 (se 1) Mutation in Zea maysi," Plant Physiology and Biochemistry 42(6), 457-464 (2004).
【非特許文献２】W.F. Tracey, In A.R. Hellauer (ED) Specialty Corns (CRC Press, Boca Raton, Florida) 147-187 (1994).
【非特許文献３】M.G. James et al., "Characterization of the Maize Gene Sugary-1, a Determinant of Starch Composition in Kernels," The Plant Cell, Vol. 7, 417-429 (1995)
【非特許文献４】D. Pan et al., "A Debranching Enzyme Deficiency in Endosperms of the Sugary-1 Mutants of Maize," Plant Physiol. 74(2), 324-328 (1984)
【非特許文献５】JA Shultz et al., "Current Models for Starch Synthesis and the Sugary Enhancer 1 (se 1) Mutation in Zea mays," supra.
【非特許文献６】RA Brink, "Identity and Sources of a Sugary Enhancer Gene Located on the Long Arm of Chromosome 4 in Maize," J. Heredity 82, 176 (1991).
【非特許文献７】JE Ferguson et al., "Genetics of Sugary Enhancer (Se), an Independent Modifier of Sweet Corn (Su)," J. Heredity 69(6), 377-380 (1978).
【非特許文献８】D.R. La Bonteらの"Sugary Enhancer (se) Gene Located on the Long Arm of Chromosome 4 in Maize (Zea mays L.), The Journal of Heredity 82, 176-178 (1991)
【非特許文献９】J.R. Laughnan, "The Effects of sh2 Factor on Carbohydrate Reserves in the Mature Endosperm of Maize," Genetics 38, 485-499 (1953).
【非特許文献１０】M. Bhave et al., "Identification and Molecular Characterization of Shrunken-2 cDNA Clones of Maize," The Plant Cell 2:581-588 (1990)
【非特許文献１１】J. Bae et al., "Cloning and Characterization of the Brittle-2 Gene of Maize," Maydica 35:317-322 (1990).
【非特許文献１２】J. Shaw et al., "Genomic Nucleotide Sequence of a Wild-Type Shrunken-2 Allele of Zea mays" Plant Physiol. 98:1214-1216 (1992).
【非特許文献１３】C. Tsai et al., "Starch-Deficient Maize Mutant Lacking Adenosine Diphosphate Glucose Pyrophosphorylase Activity," Science 151:341-343 (1966);
【非特許文献１４】D. Dickinson et al., "Presence of ADP-Glucose Pyrophosphorylase in Shrunken-2 and Brittle-2 Mutants of Maize Endosperm," Plant Physiol. 44:1058-1062 (1969).
【非特許文献１５】D. Stark et al., "Regulation of the Amount of Starch in Plant Tissues by ADP Glucose Pyrophosphorylase," Science 258:287-292 (1992).
【非特許文献１６】M.J. Moore et al., "Evidence of Two Active Sites in the Spliceosome Provided by Stereochemistry of Pre-mRNA Splicing," Nature 365:364-368 (1993)
【非特許文献１７】M.J. Moore et al., "Splicing of Precursors to mRNAs by the Spliceosome" in The RNA World. 303-308 (R. Gesteland and J. Atkins, eds., Cold Spring Harbor Laboratory Press, 1993)
【非特許文献１８】P.A. Sharp, "Split Genes and RNA Splicing," Cell 77:805-815 (1994)
【非特許文献１９】J.W.S. Brown, "Arabidopsis Intron Mutations and Pre-mRNA Splicing," Plant J. 10(5): 771-780 (1996)
【非特許文献２０】G.G. Simpson et al., "Mutation of Putative Branchpoint Consensus Sequences in Plant Introns Reduces Splicing Efficiency," Plant J. 9(3): 369-380 (1996)
【非特許文献２１】; G.G. Simpson et al., "Splicing of Precursors to mRNA in Higher Plants: Mechanism, Regulation and Sub-nuclear Organization of the Spliceosomal Machinery," Plant Mol. Biol. 32:1-41 (1996).
【非特許文献２２】C.F. Weil et al., "The Effects of Plant Transposable Element Insertion on Transcription Initiation and RNA Processing," Annu. Rev. Plant Physiol. Plant Mol. Biol. 41:527-552 (1990)
【非特許文献２３】R. Nishihama et al., "Possible Involvement of Differential Splicing in Regulation of the Activity of Arabidopsis ANP1 that is Related to Mitogen-Activated Protein Kinase Kinase Kinases (MAPKKKs)," Plant J. 12(1): 39-48 (1997)
【非特許文献２４】M. Golovkin et al., "Structure and Expression of a Plant U1 snRNP 70K Gene: Alternative Splicing of U1 snRNP 70K Pre-mRNAs Produces Two Different Transcripts," Plant Cell 8:1421-1435 (1996)
【非特許文献２５】J. Callis et al., "Introns Increase Gene Expression in Cultured Maize Cells," Genes and Development 1: 1183-1200
【非特許文献２６】G.J. Goodall et al., "The AU-Rich Sequences Present in the Introns of Plant Nuclear Pre-mRNAs Are Required for Splicing," Cell 58:473-483 (1989)
【非特許文献２７】G.J. Goodall et al., "Different Effects of Intron Nucleotide Composition and Secondary Structure on Pre-mRNA Splicing in Monocot and Dicot Plants," EMBO J. 10(9): 2635-2644 (1991).
【非特許文献２８】H. Lou et al., "3' Splice Site Selection in Dicot Plant Nuclei is Position Dependent," Mol. Cell. Biol. 13(8): 4485-4493 (1993)
【非特許文献２９】A.J. McCullough, "Factors Affecting Authentic 5' Splice Site Selection in Plant Nuclei," Mol. Cell. Biol. 13(3): 1323-1331 (1993)
【非特許文献３０】J.C. Carle-Urioste et al., "In Vivo Analysis of Intron Processing using Splicing-Dependent Reporter Gene Assays," Plant Mol. Biol. 26:1785-1795 (1994).
【非特許文献３１】M.Clancy, LC Hannah"The Mutations sh2-i and sh2-N2340 Share an Identical Intron Splice Site Mutation and are Most Likely the Same Allele," Maize Genetics Cooperation Newsletter 80 (2006)
【発明の概要】
【発明が解決しようとする課題】
【００６４】
shrunken-2i(sh2-i)、sugary-1(su1)、およびsugary enhancer-1(se1)は、既知であっ
たにも関わらず、現在まで誰も、これらの遺伝子をうまく組み合わせて、最も食用に適し
た段階後の一定期間中における高糖水準などの望ましい消費者特性を保持する一方、生長
力を強化した植物、植物材料および種子を作製することができていなかった。このことは
、植物育種家、植物栽培者および消費者の間で不満になっていた。したがって、以前から
、産業には未解決の長期にわたる切実な要望があった。その要望とは、従来の対照植物と
比較して、乾燥種子の段階でより充実した内容を（すなわちより多くの蓄積エネルギー）
を示す種子を有し、種子発芽、土壌からの苗発生および植物発達の間、（従来のsh2-iス
イートコーンの様に）強化された生長力をもたらすが、最も食用に適した段階後の一定期
間中における高糖水準、植物またはその植物の各部分（種子、果実、野菜、コーン穀粒、
コーンの穂先、など）の甘味または望ましい味を維持するような、望ましい消費者特性も
保持する、インブレッドおよびハイブリッド植物を商業生産するための、費用効果的で、
信頼性があり、効率的で、そして、成功した方法についての要望である。スイートコーン
のような植物の、改良された成長特性および味覚特性は、これらの植物の商業生産に重要
な前進をもたらす。
【００６５】
様々な商業的な植物育種家および栽培者、例えばRogers NK （Boise, ID）およびSynge
nta Seeds社（Stanton, MN）は、生産者および消費者の両者が満足する植物品種を得るた
め、形質をうまく組み合わせることを試行錯誤していた。Rogers NK は、トウモロコシsh
runken-2i （sh2-i）対立遺伝子をゲノムに含む1つの商業的なトウモロコシ製品（命名「
ブライトン」）を有していたが、この製品の食感品質（味、質感など）が消費者に魅力的
ではないことからこの製品は商業的に成功していなかった。
【００６６】
更に、上記に参照した文献または本明細書に記載したその他のいずれも、本発明に係る
の方法、植物、植物材料または種子を教示または示唆しない。
【課題を解決するための手段】
【００６７】
本発明は、ユニークで、費用効果的で、信頼性があり、効率的で、そして、成功した方
法であって、これらの製品の消費者にとって、また商業植物栽培者および家庭の園芸家に
とっても、多様な、非常に望ましい特性を、非常に有利に付与され、そして有する、スイ
ートコーン穀粒およびスイートコーンなどの植物、植物材料および種子を開発および作製
するための方法、並びにこれらの方法に従って作製された改良植物、植物材料および種子
を提供する。これらの、本発明による方法は、ゲノムに変異shrunken-2i（sh2-i）対立遺
伝子が組み込まれ、一つ以上の他の変異対立遺伝子、例えばsugary-1（su1）、sugary en
hancer-1（se1）および／またはshrunken-2（sh2）対立遺伝子などが連続して共に組み込
まれ、並びに非常に有益で望ましい多様な特徴を非常に有するハイブリッド植物、植物材
料および種子を提供する。これらの特徴には、なめらかでクリーミーな質感、非常に望ま
しい甘味または他の味覚をもたらす高い糖レベル、最適な食用段階後の長期の糖保持能力
（および例えばスイートコーンの甘味のような、この特徴に付随する味覚上の利点）、よ
り長い植物収穫敵期、より長い植物保持能力（スイートコーンの穂先など）、および最も
食用に適した段階の後に甘味が劣化する前のより長い植物の保存寿命が挙げられる。さら
に、本発明による方法は、乾燥種子の段階で、外観上に比較的ふくらんでいて、比較的高
い炭水化物および水溶性多糖類（WSP）含量を有する種子および／若しくは穀粒を提供し
、ならびに／または、種子発芽、苗の出芽および植物生育中の植物、植物材料および／若
しくは種子に対して、非常に高い生長力および適応性を提供する。
【００６８】
1つの態様において、本発明は、従来の変異shrunken-2（sh-2）または変異shrunken-2i
（sh2-i）ハイブリッド植物、植物材料または種子と比較すると高い生長力および従来の
変異sugary-1（su1）またはshrunken-2i （sh2-i）ハイブリッド植物、植物材料または種
子と比較して、その最も食用に適した段階直後の一定期間の高い糖の保持能力を有するハ
イブリッド植物、植物材料または種子を作製する方法であって、一つ以上の分子マーカー
を使用して、植物、植物材料または種子に前述の特徴を与える変異shrunken-2i （sh2i）
対立遺伝子および一つ以上の他の変異対立遺伝子を、植物、植物材料または種子のゲノム
中に連続して含めることを含む方法を提供する。
【００６９】
もうひとつの態様において、従来の変異shrunken-2（sh-2）またはshrunken-2i（sh2-i
）ハイブリッド植物、植物、植物材料または種子と比較すると強化された生長力と、従来
の変異sugary-1（su1）若しくはshrunken-2i（sh2-i）ハイブリッド植物、植物、植物材
料または種子と比較して強化された、その最も食用に適した段階直後の一定期間にわたっ
て糖を保持する能力（または一つ以上の他の望ましい特徴）と、を有するハイブリッド植
物、植物、植物材料または種子を作製する方法であって、あらゆる適切な順序で以下のス
テップを含む方法を提供する。
(a) sugary 1（su1）、sugary enhancer（se1）およびshrunken 2（sh2）変異対立遺伝
子を単独に又は組合わせで含むか、またはこれらに限定せず一つ以上の所望の変異対立遺
伝子をそのゲノムに含む、インブレッド植物系統を特定する、任意に分子マーカーを使用
するステップと、
(b) ゲノム中にshrunken-2i（sh2-i）変異対立遺伝子を有する親植物系統と組み合わせ
て遺伝的背景として使用するため
(i) Su1Su1 Se1Se1 sh2sh2 
(ii) Su1Su1 se1se1 sh2sh2、または
(iii) su1su1 se1se1 sh2sh2（トリプル劣性の組み合わせ）
のトリプル対立遺伝子の組み合わせを含むかまたはこれらに限定されず所望の遺伝子型を
有する、一つ以上の準同質遺伝子系統（NIL）を作製するステップと、
(c) 一つ以上の分子マーカーを使用して、shrunken-2i（sh2-i）対立遺伝子を、例えば
su1su1 se1se1 sh2sh2またはsu1su1 se1se1である、所望の遺伝的背景を有する準同質遺
伝子系統のゲノムに組み込む、ステップと、
(d) su1su1 se1se1の遺伝的背景または一つ以上の他の好ましい変異対立遺伝子の遺伝
的背景上に重ねられた（layer）shrunken-2i（sh2-i）対立遺伝子をゲノムに有する雌性
準同一遺伝子植物系統（「準同質遺伝子系統を改変した」雌性）を選択するステップと、
(e) su1su1 se1se1 sh2sh2（または高いまたは強化された食感品質を有するハイブリッ
ド植物を提供することができるいくつかの他のトリプルホモ接合の劣性対立遺伝子組合せ
）のトリプルホモ接合劣性対立遺伝子組合せを有する雄性系統と、準同質遺伝子系統を改
変した雌性とを交雑し、栽培者および／または消費者の求める一つ以上の特徴を有するハ
イブリッド植物を作製する、任意のステップと、
(f) ステップ（d）および／またはステップ（e）の植物から生じる種子（または穀粒）
の（従来のまたは他の植物由来の種子または穀粒との比較による）なめらかさ、ふくらみ
および／または相対的重量といった特徴について、物理的外観（表現型）を調べる任意の
ステップと、
(g) ステップ（d）および／またはステップ（e）の植物から生じる種子（または穀粒）
について、暖温、低温および／またはその他の発芽を実施し、かかる種子が消費者および
／または栽培者が所望する一つ以上の特徴、例えば、強化された発芽、苗発生および植物
成長性能並びに変異shrunken-2i（sh2-i）対立遺伝子と関連した生長力を有することを確
かめる任意のステップと、
(h) ステップ（d）および／またはステップ（e）の植物によって作製される種子（また
は穀粒）から栽培された、植物（またはその部分、例えばコーンの穂先）について一つ以
上の官能試験を行い、それらについての味および／または他の官能特徴を決定するステッ
プであって、好適には、栽培者および／または消費者が所望する一つ以上の特徴を発現す
る植物と整合する全体的な物理的および園芸的特徴（すなわち表現型）を調べる任意のス
テップ。
【００７０】
上記の過程に従うことによって、（他の特徴の間でも）炭水化物蓄積の制御および果皮
柔軟性について、植物、植物材料および／または種子において操作でき、および、変異sh
runken-2i（sh2-i）対立遺伝子は、所望の生産および消費者特性を与えるために植物、植
物材料または種子のゲノムに組み込むことができる。植物、植物材料および種子は、他の
植物品種または系統と比較すると乾燥種子段階でより中身が充実し、種子発芽、土壌から
の苗発生および／または植物発達の間の強化された生長力を与え、且つ、高い糖水準を維
持することで、最も食用に適した段階後の一定期間にわたって、植物、植物材料および／
または種子の甘味または他の好ましい味をもたらすようにすることができる。当業者は、
上記過程に含まれる特定のステップ、例えば、準同質遺伝子系統の戻し交雑ステップにつ
いて、上記過程を成功させるために行うべきの実施回数を決定することができる。このよ
うに、好ましくは、幾つかのステップは複数回実施される。
【００７１】
別の態様においては、本発明は、従来の変異shrunken-2（sh-2）若しくはshrunken-2i
（sh2-i）のハイブリッド植物、植物、植物材料または種子と比較すると強化された生長
力、および従来の変異sugary-1（su1）若しくはshrunken-2i（sh2-i）のハイブリッド植
物、植物、植物材料または種子と比較して強化された最も食用に適した段階直後の一定期
間にわたって糖を保持する能力を有する、あらゆる適切な順序の上述のステップ(a)〜（p
）による、ハイブリッド植物、植物、植物材料または種子を提供する。
【００７２】
さらにもう一つの態様において、本発明は、上記の方法のいずれか一つによって作製さ
れる植物種子を提供する。
【００７３】
別の態様においては、本発明は、一つ以上の更なる変異対立遺伝子の遺伝的背景にシー
ケンシャルレイヤリング（sequential layering、逐次重ねる）することで一つ以上の好
ましい特徴を植物種子に与える、shrunken-2i（sh2-i）対立遺伝子を含むゲノムからなる
ハイブリッドまたは他の植物種子を提供し、当該植物種子は、従来の変異shrunken-2（sh
-2）またはshrunken-2i（sh2-i）植物種子と比較して強化された生長力と、従来の変異su
gary-1（su1）またはshrunken-2i（sh2-i）植物種子と比較して教科された最も食用に適
した段階直後の一定期間にわたる糖を保持する能力とを賦与される。
【００７４】
さらに別の態様において、本発明は、一つ以上の更なる変異対立遺伝子の遺伝的背景に
、シーケンシャルレイヤリングすることで一つ以上の好ましい特徴を植物種子に与えるsh
runken-2i（sh2-i）対立遺伝子を含むゲノムからなるハイブリッドまたは他の植物種子を
提供し、植物種子は、従来の変異shrunken-2（sh-2）またはshrunken-2i（sh2-i）植物種
子と比較すると強化された生長力と、従来の変異sugary-1（su1）またはshrunken-2i（sh
2-i）植物種子と比較すると強化された最も食用に適した段階直後の一定期間にわたり糖
を保持する能力とを賦与される。
【００７５】
別の態様においては、本発明は、上記の方法のいずれか一つによって作製される植物ま
たは植物材料を提供する。
【００７６】
さらにもう一つの態様において、本発明は、一つ以上の更なる変異対立遺伝子の遺伝的
背景に、シーケンシャルレイヤリングすることで一つ以上の好ましい特徴を植物または植
物材料に与えるshrunken-2i（sh2-i）対立遺伝子を含むゲノムからなるハイブリッドまた
は他の植物または植物材料を提供し、植物または植物材料は、従来の変異shrunken-2（sh
-2）またはshrunken-2i（sh2-i）植物または植物材料と比較すると強化された生長力と、
従来の変異sugary-1（su1）またはshrunken-2i（sh2-i）植物または植物材料と比較する
と強化された最も食用に適した段階直後の一定期間にわたり糖を保持する能力とを賦与さ
れる。
【００７７】
もう一つの態様において、本発明は、一つ以上の更なる変異対立遺伝子の遺伝的背景に
、シーケンシャルレイヤリングすることで一つ以上の好ましい特徴を植物または植物材料
に与えるshrunken-2i（sh2-i）対立遺伝子を含むゲノムからなるハイブリッドまたは他の
植物または植物材料を提供し、植物または植物材料は、従来の変異shrunken-2（sh-2）ま
たは従来の変異shrunken-2i（sh2-i）植物または植物材料と比較すると強化された生長力
と、従来の変異sugary-1（su1）または従来の変異shrunken-2i（sh2-i）植物または植物
材料と比較すると強化された最も食用に適した段階直後の一定期間にわたり糖を保持する
能力を賦与される。
【図面の簡単な説明】
【００７８】
【図１】従来のsugary-1（su1）、sugary enhancer-1（se1）およびshrunken-2 （sh2）の遺伝子変異系統の、最も食用に適した段階（含水率約75%）での、典型的な胚乳のショ糖水準の一般化比較を示す棒グラフである。
【図２】従来のsugary-1（su1）、sugary enhancer-1（se1）およびshrunken-2 （sh2）の遺伝子変異系統の、7日間（1-7日）を通じて最も食用に適した段階（含水率約75%）での、室温での相対的胚乳糖貯留または「保持能力」を示す線グラフである。3つの異なる遺伝子型について、胚乳ショ糖水準の典型的な経時変化を示す。
【図３】従来のsugary-1（su1）、sugary enhancer-1（se1）およびshrunken-2（sh2）遺伝学的変異系統の、最も食用に適した段階（含水率約75%）での、典型的な果皮率の比較を示す棒グラフである。
【図４】従来のsugary-1（su1）、sugary enhancer-1（se1）およびshrunken-2（sh2）遺伝子変異系統の、最も食用に適した段階（含水率約75%）での7日間（1-7日）の室温での相対的果皮率を示す線グラフである。3つの異なる遺伝子型について、果皮率の典型的な経時変化を示す。
【図５】イントロン（図5の線によって示される）によって分離される16のエキソン（図5のボックスによって示される）から成る、野生型sh2遺伝子（sh2-R）の線図である。この遺伝子は、およそ6,000塩基対長である。sh2-R遺伝子は、イントロン2-エキソン4領域（図5の三角形によって示される）の中に大きい（少なくとも7,800の塩基対）挿入を有する。この挿入に接するプライマー（図5の矢印によって示される）は、大きなサイズの挿入のため、ポリメラーゼ連鎖反応（PCR）生成物を生じない。対照的に、sh2-i遺伝子はイントロン2の終端に単一の塩基対変化を含有しており、sh2-iの挿入部位の側面に位置するプライマーはPCR生成物を生ずる。
【図６】最も食用に適した段階（含水率約75%）を1-7日過ぎたsh2-i対立遺伝子を含有するまたは含有しない、いずれかの準同質遺伝子系統（NIL）の従来のハイブリッドshrunken-2（sh2）の、澱粉の官能スコア平均を示す（澱粉蓄積の官能平均値）線グラフである。
【図７】コーン品種Beyond、PassionおよびACX SS 7501Yの最も食用に適した段階（含水率約75%）直後の7日間の官能平均甘味スコアを示す線グラフである。この7日間にわたるこれらの3つのスイートコーン品種中の比較の官能糖水準を示す。
【図８】コーン品種Beyond、PassionおよびACX SS 7501Yの、最も食用に適した段階（含水率約75%）直後7日間の、官能平均果皮柔軟性のスコアを示す線グラフである。この7日間にわたるこれらの3つのスイートコーン品種についての、官能果皮柔軟性水準比較を示す。
【図９】変異shrunken-2i（sh2-i）対立遺伝子（エキソン1-4）のスプライス部位異常を有するゲノム配列の概略図を示す。変異sh2-iのイントロン2のスプライス部位AGをAAに変えた点突然変異は、ボックスで示す。線でつながれた矢印は、変異転写産物を生じるRNAスプライシングの間に使用する供給部位および受容部位を示す。
【図１０−１】実施例1に記載の実験で調製された個体インブレッドNILのサンプルの分子地図である。
【図１０−２】実施例1に記載の実験で調製された個体インブレッドNILのサンプルの分子地図である。
【図１０−３】実施例1に記載の実験で調製された個体インブレッドNILのサンプルの分子地図である。
【図１０−４】実施例1に記載の実験で調製された個体インブレッドNILのサンプルの分子地図である。
【図１０−５】実施例1に記載の実験で調製された個体インブレッドNILのサンプルの分子地図である。
【図１０−６】実施例1に記載の実験で調製された個体インブレッドNILのサンプルの分子地図である。
【図１０−７】実施例1に記載の実験で調製された個体インブレッドNILのサンプルの分子地図である。
【図１０−８】実施例1に記載の実験で調製された個体インブレッドNILのサンプルの分子地図である。
【図１０−９】実施例1に記載の実験で調製された個体インブレッドNILのサンプルの分子地図である。
【図１０−１０】実施例1に記載の実験で調製された個体インブレッドNILのサンプルの分子地図である。
【図１０−１１】実施例1に記載の実験で調製された個体インブレッドNILのサンプルの分子地図である。
【図１０−１２】実施例1に記載の実験で調製された個体インブレッドNILのサンプルの分子地図である。
【図１０−１３】実施例1に記載の実験で調製された個体インブレッドNILのサンプルの分子地図である。
【図１０−１４】実施例1に記載の実験で調製された個体インブレッドNILのサンプルの分子地図である。
【図１０−１５】実施例1に記載の実験で調製された個体インブレッドNILのサンプルの分子地図である。
【図１０−１６】実施例1に記載の実験で調製された個体インブレッドNILのサンプルの分子地図である。
【図１０−１７】実施例1に記載の実験で調製された個体インブレッドNILのサンプルの分子地図である。
【図１０−１８】実施例1に記載の実験で調製された個体インブレッドNILのサンプルの分子地図である。
【図１０−１９】実施例1に記載の実験で調製された個体インブレッドNILのサンプルの分子地図である。
【図１０−２０】実施例1に記載の実験で調製された個体インブレッドNILのサンプルの分子地図である。
【図１０−２１】実施例1に記載の実験で調製された個体インブレッドNILのサンプルの分子地図である。
【発明を実施するための形態】
【００７９】
（配列の簡単な説明）
配列番号1は、米国特許第6,184,438号B1においても公開されている、Zea Mays（トウモ
ロコシ）の野生型Shrunken-2（sh2）対立遺伝子の7739塩基対ゲノム・ヌクレオチド配列
である。（全体を参照により本明細書に組み込む米国特許第6,184,438号B1の図1は、Zea 
Mays（トウモロコシ）の野生型Shrunken-2（sh2）対立遺伝子のゲノムヌクレオチド配列
も示す。イントロンは、小文字によって示される。塩基番号1は、転写開始点である。矢
印は、cDNAの３’末端を示す。推定のTATA、RY二分子（dyad）およびエンハンサー配列は
、下線部である。）
【００８０】
配列番号2は、米国特許第5,912,413号において公開されている、Zea Mays（トウモロコ
シ）のsugary-1（su1）対立遺伝子をコードしているcDNA配列である。su1 cDNAクローン
の2712塩基対ヌクレオチド配列は、クローンの一端に位置する、14の連続的なT残基配列
を含み、それはポリアデニル化サイトおよびmRNAの3'末端を同定する。789コドンの連続
オープンリーディングフレーム（ORF）は、cDNAクローンの5’末端から88ヌクレオチドで
開始し、ポリ(A)アデニル化サイトより240前のヌクレオチドで終了する。このORFは、789
のアミノ酸（配列番号3）のポリペプチドに相当する。cDNAおよび部分的なゲノム配列（
配列番号4）の比較によって、ゲノムDNAの4つのエキソンおよびイントロンを同定する。
これらの4つのエキソンは、ヌクレオチド658からヌクレオチド1107、ヌクレオチド1352か
らヌクレオチド1536、ヌクレオチド1657からヌクレオチド1753およびヌクレオチド2076か
らヌクレオチド2227に延在する。エキソン配列または配列番号4の全配列が、完全長ゲノ
ム配列を得るために、当業者に周知の方法にてプローブとして使われ得る。
【００８１】
配列番号3は、米国特許第5,912,413号においても公開されている配列番号2に示されるc
DNAクローンのsugary-1（su1）ヌクレオチド配列のアミノ酸翻訳である。
【００８２】
配列番号4は、部分的なsugary-1（su1）ゲノムヌクレオチド配列であり、米国特許第5,
912,413号においても公開されている。
【００８３】
配列番号5はsu1（配列番号4）の推測されたアミノ酸配列であり、米国特許第5,912,413
号においても公開されている。
【００８４】
配列番号6は、プライマーumc1551（染色体2上のsugary enhancer-1（se1）対立遺伝子
用の分子マーカーのためのプライマー）のヌクレオチド配列である。
【００８５】
配列番号7は、プライマーumc1551（染色体2上のsugary enhancer-1（se1）対立遺伝子
用の分子マーカーのためのプライマー）のヌクレオチド配列である。
【００８６】
配列番号8は、プライマーbnlg1520（染色体2上のsugary enhancer-1（se1）対立遺伝子
用の分子マーカーのためのプライマー）のヌクレオチド配列である。
【００８７】
配列番号9は、プライマーbnlg1520（染色体2上のsugary enhancer-1（se1）対立遺伝子
用の分子マーカーのためのプライマー）のヌクレオチド配列である。
【００８８】
配列番号10は、プライマーphi427434（染色体2上のsugary enhancer-1（se1）対立遺伝
子用の分子マーカーのためのプライマー）のヌクレオチド配列である。
【００８９】
配列番号11は、プライマーphi427434（染色体2上のsugary enhancer-1（se1）対立遺伝
子用の分子マーカーのためのプライマー）のヌクレオチド配列である。
【００９０】
配列番号12は、プライマーumc2077（染色体2上のsugary enhancer-1（se1）対立遺伝子
用の分子マーカーのためのプライマー）のヌクレオチド配列である。
【００９１】
配列番号13は、プライマーumc2077（染色体2上のsugary enhancer-1（se1）対立遺伝子
用の分子マーカーのためのプライマー）のヌクレオチド配列である。
【００９２】
配列番号14は、プライマーumc2174（第3染色体上のshrunken-2（sh2）対立遺伝子のた
めの分子マーカーのためのプライマー）のヌクレオチド配列である。
【００９３】
配列番号15は、プライマーumc2174（第3染色体上のshrunken-2（sh2）対立遺伝子用の
分子マーカーのためのプライマー）のヌクレオチド配列である。
【００９４】
配列番号16は、プライマーdupssr33（第3染色体上のshrunken-2（sh2）対立遺伝子用の
分子マーカーのためのプライマー）のヌクレオチド配列である。
【００９５】
配列番号17は、プライマーdupssr33（第3染色体上のshrunken-2（sh2）対立遺伝子用の
分子マーカーのためのプライマー）のヌクレオチド配列である。
【００９６】
配列番号18は、プライマーbmc1257（第3染色体上のshrunken-2（sh2）対立遺伝子用の
分子マーカーのためのプライマー）のヌクレオチド配列である。
【００９７】
配列番号19は、プライマーbmc1257（第3染色体上のshrunken-2（sh2）対立遺伝子用の
分子マーカーのためのプライマー）のヌクレオチド配列である。
【００９８】
配列番号20は、プライマーumc2277（第3染色体上のshrunken-2（sh2）対立遺伝子用の
分子マーカーのためのプライマー）のヌクレオチド配列である。
【００９９】
配列番号21は、プライマーumc2277（第3染色体上のshrunken-2（sh2）対立遺伝子用の
分子マーカーのためのプライマー）のヌクレオチド配列である。
【０１００】
配列番号22は、プライマーphi295450（染色体4上のsugary-1（su1）対立遺伝子用の分
子マーカーのためのプライマー）のヌクレオチド配列である。
【０１０１】
配列番号23は、プライマーphi295450（染色体4上のsugary-1（su1）対立遺伝子用の分
子マーカーのためのプライマー）のヌクレオチド配列である。
【０１０２】
配列番号24は、プライマーphi308090（染色体4上のsugary-1（su1）対立遺伝子用の分
子マーカーのためのプライマー）のヌクレオチド配列である。
【０１０３】
配列番号25は、プライマーphi308090（染色体4上のsugary-1（su1）対立遺伝子用の分
子マーカーのためのプライマー）のヌクレオチド配列である。
【０１０４】
配列番号26は、プライマーphi076（染色体4上のsugary-1（su1）対立遺伝子用の分子マ
ーカーのためのプライマー）のヌクレオチド配列である。
【０１０５】
配列番号27は、プライマーphi076（染色体4上のsugary-1（su1）対立遺伝子用の分子マ
ーカーのためのプライマー）のヌクレオチド配列である。
【０１０６】
配列番号28は、プライマーphi079（染色体4上のsugary-1（su1）対立遺伝子用の分子マ
ーカーのためのプライマー）のヌクレオチド配列である。
【０１０７】
配列番号29は、プライマーphi079（染色体4上のsugary-1（su1）対立遺伝子用の分子マ
ーカーのためのプライマー）のヌクレオチド配列である。
【０１０８】
配列番号1-29に存在する配列は省略形を使用する。それはIndustrial Property Inform
ation and Documentation、Standard ST.25上の世界知的所有権機関（WIPO）ハンドブッ
クに記載されており、これによって完全に本願明細書に引用したものとする。
【０１０９】
本発明は、次の本発明の好ましい実施例の詳細な説明およびそこに含まれる実施例を参
照することでより容易に理解されるであろう。
【０１１０】
（定義）
明確にするため、この明細書および添付の請求の範囲の全体にわたって使われる様々な
用語および表現は、以下に詳述のように定義する。
【０１１１】
この明細書または添付の請求の範囲において使われる用語またはフレーズが下で定めら
れない、またはこの明細書中において定められていない場合には、用語またはフレーズは
通常の意味を示すと理解されたい。
【０１１２】
本願明細書において使われる用語「農学」は、作物生産の科学を意味する。
【０１１３】
本願明細書において使われる用語「対立遺伝子」は、ある遺伝子（対をなす遺伝子の片
一方）の代替の遺伝子を指し、それは特定の染色体の特定の位置に位置する。対立遺伝子
は、遺伝子の特徴の異なる特徴を引き起こす遺伝子の異型であり、コード配列または非コ
ード配列のいずれにおいても異なり得る。
【０１１４】
用語「アミノ酸」は分子を意味して本願明細書において使われ、通常、塩基性アミノ基
（NH2）、酸性カルボキシル基（COOH）、水素原子（-H）および炭素原子に付いた有機側
鎖基(R)、を含有するので、NH2CHRCOOHの基本化学式で表される。アミノ酸は、各々がコ
ドンによってコーディングされ、ペプチド結合で相互に結合されるタンパク質の基礎単位
である。それぞれ異なるＲ基を有する100以上のアミノ酸が自然に発生することが知られ
ている。それらのうちの20のアミノ酸がタンパク質を合成する際に関係し、それらが必須
でないか必須であるかで分類される。非必須アミノ酸は、アラニン、アルギニン、アスパ
ラギン酸、アスパラギン、システイン、グルタミン酸、グルタミン、グリシン、プロリン
、セリンおよびチロシンを含む。必須アミノ酸は、ヒスチジン、イソロイシン、ロイシン
、リジン、メチオニン、フェニルアラニン、スレオニン、トリプトファンおよびバリンを
含む。アミノ酸の省略形は、当業者によって周知である。
【０１１５】
本願明細書において使われている用語「戻し交雑」は、その両親のうちの1方と、また
は、その両親のうちの1方と遺伝的に同一または類似の個体と、交雑（ハイブリッドであ
るか他の植物）することを意味する。
【０１１６】
本願明細書において使用されていている用語「炭水化物」は、炭素、酸素および水素を
含んでいる単純な有機化合物を意味し、一般に多くのヒドロキシル基が付加されている（
通常、アルデヒド官能基またはケトン官能基の一部分でない各炭素原子について一つのヒ
ドロキシル基が付加される）。基本的な炭水化物ユニットは、単糖（例えばブドウ糖、ガ
ラクトースおよびフルクトース）である。炭水化物は、例えばエネルギーの貯蔵および輸
送（例えば澱粉またはグリコーゲン）および構造成分（例えば植物のセルロース）等、生
物において多くの役割を有する。それらは、エネルギー貯蔵、燃料および代謝中間体とし
て役立つ。リボースおよびデオキシリボース糖は、RNAおよびDNAの構造的な骨組みの部分
を形成する。多糖は植物の細胞壁中に存在する構造的な要素である。炭水化物は、多くの
タンパク質および脂質に結合し、それらは、細胞環境中での、細胞間の相互作用、ならび
に、細胞および他の要素間の相互作用の媒介をすることによって重要な役割を果たす。単
糖は、多種多様な方法によって多糖に互いに結合し得る。
【０１１７】
本願明細書において使われる用語「細胞呼吸」は、通常細胞の中で起こる一連の代謝プ
ロセスを意味し、そこにおいて生化学エネルギーが、例えばグルコースのような有機物か
ら得られ、細胞のエネルギーが必要な活動のために、エネルギーキャリア（ATP）として
貯蔵される。これらの活動は、解糖、クエン酸回路、クレブス回路、および、酸化的リン
酸化によって構成される。細胞は、分子酸素（電子受容体）を取り入れ、（最終産物とし
て）二酸化炭素を放出する方法で「呼吸する」ように見える（好気的過程）。生化学エネ
ルギーは多くの代謝プロセス、例えば生合成、移動運動、膜を介した分子の輸送、などに
エネルギーを供給するために作り出されるので、細胞呼吸は、真核細胞および原核細胞に
必須である。全ての過程が原核生物の細胞質で行われる一方、真核生物では、通常、解糖
は細胞質において行われ、クレブス回路および酸化的リン酸化はミトコンドリアにおいて
行われる。原核細胞が通常最高38のATP分子を生成することができる一方、真核細胞は通
常最高36のATP分子を生成することができる。
【０１１８】
本願明細書において使われる用語「コード配列」は、タンパク質をコーディングする遺
伝子またはmRNAの一部を指す。
【０１１９】
本願明細書において使用されている用語「コドン」は、3つの隣接したヌクレオチド（
トリプレット）の1セットを意味する。mRNAにおいて、その塩基対が特定のアミノ酸を運
搬するtRNA分子の対応するアンチコドンを伴うため、タンパク質合成のアミノ酸のタイプ
および配列を特定する。例えば、GCC（グアニン-シトシン-シトシン）→アラニン、GUU（
グアニン-ウラシル-ウラシル）→バリン、CUA（シトシン-ウラシル-アデニン）→ロイシ
ン、およびUCA（シトシン-シトシン-アデニン）→セリンである。
【０１２０】
sugary-1（su1）、sugary enhancer（se1）、shrunken-2（sh2）、shrunken-2i（sh2-i
）または他の変異対立遺伝子と関連して本願明細書において使われている用語「従来の変
異ハイブリッド植物、植物材料、種子、系統または品種」は、連続した、または他の2つ
以上の変異対立遺伝子の組み合わせというよりはむしろ、本願明細書において記載されて
いる形質を与える、通常ただ1つの変異対立遺伝子をそのゲノムに含む、ハイブリッド植
物、植物材料、種子、系統または品種を意味する。例えば、変異shrunken-2i（sh2-i）対
立遺伝子をそのゲノムに含むがsugary-1（su1）、sugary enhancer（se1）またはshrunke
n-2（sh2）変異対立遺伝子を含まないもの、または変異sugary-1（su1）対立遺伝子をそ
のゲノムに含むがsugary enhancer（se1）、shrunken-2（sh2）またはshrunken-2i（sh2-
i）変異対立遺伝子を含まないものを意味する。
【０１２１】
本願明細書において使われる用語「コーン」および「トウモロコシ」は広く栽培される
あらゆる多数の栽培された品種で、通常、大きい穂先上に穀物または穀粒を持つ背の高い
一年生穀類のイネ科植物（トウモロコシ）を意味し、スイートコーンおよびスーパースイ
ートコーンの種々の変種を含む。この植物の穀物または穀粒は、人間および家畜用の食物
として、または食用油または澱粉の抽出用に用いられてもよい。穀粒は、生または調理済
みで食用可能であり、さらに、当業者に既知の他の方法で缶詰にし、冷凍し、および／ま
たは貯蔵することも可能である。
【０１２２】
本願明細書において使用される用語「交雑する」、「交雑」、「交配させ」および「異
種交雑する」は、ハイブリッドを作り出すために植物の異なる種または品種を混合する行
為を意味する。一遺伝子雑種交雑は、１つの形質が異なる親世代生物間での品種改良実験
である。一遺伝子雑種交雑では、通常、１つの特定の遺伝子に関する異なる対立遺伝子を
有する両親間の遺伝的交雑が行われる。一方の親は2つの優性対立遺伝子を有し、他方の
親は2つの劣性対立遺伝子を有する。そして、すべての子孫（一遺伝子雑種）は、上記特
定の遺伝子に関する１つの優性対立遺伝子と、１つの劣性対立遺伝子とを有する（すなわ
ち、その一つの遺伝子座についてハイブリッドである）。これらの子孫間で交雑すると、
次の世代における、優性表現型：劣性表現型の比率が、特徴的な3:1（一遺伝子雑種）と
いう割合で生じる。例えば、緑のさや色（G）の対立遺伝子は優性であり、黄色のさや色
（g）の対立遺伝子は劣性である。親のさや色が緑色の植物と、親のさや色が黄色の植物
とを人工受粉すると、全て、緑の子世代（すなわち、全ての遺伝子型は、Ggである）を生
じる。二遺伝子雑種交雑は、2つの特徴が異なる親世代生物間の品種改良実験である。二
遺伝子雑種交雑では、通常、異なる遺伝子座の遺伝子によって制御される２つの特徴が異
なる親世代の遺伝的交雑が行われる。グレゴール・メンデルは、エンドウ植物を用いて、
種子の色および質感の特徴に基づく二遺伝子雑種交雑を行った。親の植物は、なめらかな
黄色の種子（SSYY）（優性特徴）またはしわが寄っている緑の種子（ssyy）（劣性の特徴
）を有した。子の植物は、全て、2つの対立遺伝子の異種接合体（SsYy）のなめらかな黄
色の種子を有した。これらの子孫間の交雑により、9:3:3:1の比率でなめらかな黄色、な
めらかな緑、しわが寄っている黄色およびしわが寄っている緑の種子で構成される植物の
F2世代が得られた。メンデルは、これらの結果に基づいて、独立遺伝の法則を導いた。三
遺伝子雑種交雑は、3つの特徴その他が異なる親世代生物間の品種改良実験である。
【０１２３】
本願明細書において用いられる用語「作物」は、食料、家畜飼料、燃料、または他のい
かなる経済（または他の）目的のために相当量収穫されるように栽培されるあらゆる植物
の周期的、例えば年間または季節的な、収穫物である。多くの種類の作物は、工業目的で
用いられる。例えば、利益を生み、人々を潤すという唯一の目的のために、栽培および収
穫され、さらには、作物を栽培するのに適している特定の領域において大量に栽培される
。
【０１２４】
本願明細書において用いられる用語「優性」は、生物の表現型で発現される対立遺伝子
または遺伝子を意味し、その存在下では、一般に劣性対立遺伝子または劣性遺伝子の影響
を被覆する。遺伝学において、優性対立遺伝子または優性遺伝子は、生物の表現型を決定
するものである。その効果は、劣性対立遺伝子または劣性遺伝子の効果と比較すると、容
易に認識される。一般に、例えば、Hh（Hが優性対立遺伝子に関し、hが劣性対立遺伝子に
関する）のように、優性対立遺伝子は大文字によって表され、劣性対立遺伝子は小文字に
よって表される。
【０１２５】
本願明細書において用いられる用語「乾燥種子段階」は、例えばスイートコーンなどの
植物の発芽における最初の一時的な現象や、種子または穀粒が通常約12%未満の含水量を
有するときを意味する。
【０１２６】
本願明細書において用いられる用語「ダンカンの新多重範囲検定（Duncan's New Multi
ple Range Test）」および「MRT」は、平均値の集合を比較するためにスチューデント化
された範囲統計qrを用いる多重比較統計方法を意味し、特に、偽陰性（Type II）過誤か
ら保護するためのものである。この検定は、農学および他の種類の農業研究で共通して使
用され、当業者によって周知である。この検定についての付加的情報は、D.B.Duncan, "M
ultiple Range and Multiple F Tests," Biometrics 11:1-42, 1955に記載されている。
本願明細書において使用される統計方法と、それに付随する計算は、当業者によって知ら
れている方法で、コンピュータおよびソフトウェアに実行させてもよい。
【０１２７】
本願明細書において用いられていている用語「胚」は、種子植物において有性または無
性の卵から発達し、種子の中に含有される苗を意味する。
【０１２８】
本願明細書において用いられていている用語「胚乳」は、多くの植物の種子に存在し、
これらの種子中で胚を囲む栄養組織を意味する。胚乳は、胚に栄養分を供給する。胚乳は
、通常トウモロコシの穀粒発達中の大部分の澱粉堆積部位であり、胚乳澱粉含量は穀粒ま
たは種子の乾燥重量のおよそ70%を占める。
【０１２９】
本願明細書において用いられる用語「エネルギー」は、仕事を行い、または変化を生み
出す能力を意味する。エネルギーは様々な状態で存在するが、生成されることも消滅する
こともない。エネルギーは、別の状態に変化するだけであり、ジュールまたはエルグで示
される。多くの場合、エネルギーは、細胞内に生体分子（例えば炭水化物（糖）および脂
質）として貯蔵される。エネルギーは、通常、これらの分子が細胞呼吸中に酸化されると
放出され、ATP、すなわちエネルギーキャリア分子によって保持および輸送される。
【０１３０】
本願明細書において用いられる用語「酵素」は、一般に、例えば植物のような生命体の
化学反応の速度を上げるタンパク質（またはタンパク質を主成分とする分子）を意味する
。酵素は、一般に特異的な化学反応のための触媒として作用する。そして、特定の組み合
わせの反応物（基質）を特定の生成物に変換する。酵素は、一般に、おりたたまれて、分
子にユニークな性質を与える特異的な三次元構造を提供するアミノ酸の特徴配列を有する
。さらに、酵素は一般に、それらが触媒する反応に従って分類および命名される。
【０１３１】
本願明細書において用いられていている用語「上位性」は1つの遺伝子の変異が異なる
遺伝子の発現を被覆することを意味する。（対照的に、優位性に関しては、遺伝子の1つ
の対立遺伝子は、同じ遺伝子の他の対立遺伝子の発現を被覆する。）
【０１３２】
本願明細書において用いられる用語「エキソン」は、ゲノムDNA配列に含まれる複数の
部分であって、最終的な成熟mRNA（すなわち遺伝子のポリペプチドをコードするゲノムＤ
ＮＡの連続セグメント）に存在する各部分を意味する。また、用語「エキソン」は、最終
的なRNAに含まれる、対応のセグメントをも意味しうる。エキソンは、コード配列、5’非
翻訳領域および／または3’非翻訳領域を含んでもよい。
【０１３３】
本願明細書において用いられている用語「発現」は、文脈に応じて、遺伝子の影響が現
れること、影響または表現型を生じさせること、または、遺伝形質を現すことを意味する
。遺伝子の発現は、遺伝子中にコードされる情報の、タンパク質またはRNAへの翻訳であ
る。発現遺伝子は、メッセンジャーＲＮＡ（mRNA）に転写されてタンパク質に変換される
遺伝子を含み、また、例えばタンパク質に変換されないトランスファーＲＮＡ（tRNA）お
よびリボソームＲＮＡ（rRNA）などの種々のRNAに転写される遺伝子も含む。遺伝子発現
過程におけるいくつかのステップは、転写、RNAスプライシング、タンパク質の翻訳およ
び翻訳後修飾を含む調整がされ得る。遺伝子調節は、構造および作用について細胞制御し
、さらに、細胞分化、形態形成、ならびに、植物のような生物の汎用性及び適応力の基礎
となる。
【０１３４】
本願明細書において用いられる用語「適応性」は、例えば植物のような生物、または遺
伝子型の、所与の時点の所与の個体数での相対的な繁殖成功率の指標にを意味する。次世
代に最も多くの子孫を寄与する個体は、最も適応した固体である。したがって、適応性は
、生物がどれくらい良好にその環境に適応しているかを反映し、それはその生存を決定す
る。
【０１３５】
本願明細書において用いられる用語「遺伝子」は、子孫に遺伝形質を伝えるために必要
とされる情報を保持する生命体（植物、動物または微生物）における遺伝（遺伝形質）の
基本構成単位に関する。遺伝子は、表現型/機能に寄与するデオキシリボ核酸（DNA）のセ
グメントである。DNAは、アデニン(A)、チミン（T）、シトシン(C)またはグアニン（G）
から選択される2つの対塩基を螺旋はしごの各段に有する、二重螺旋の形の分子である。
特定の塩基は常に互いにペア（ATおよびGC）で、塩基対の異なる配列はコーディングされ
たメッセージを形成する。遺伝子はすべて、さらに、非常に大きな構造である染色体の全
長にわたって正確な配列で配置される。
【０１３６】
本願明細書において用いられる用語「遺伝子地図」は、任意の種の範囲内で染色体（ま
たは連鎖群）上の遺伝子座間の遺伝子の連鎖関係を示す図である。「マッピング」は、遺
伝マーカーを使用し、このマーカーを分離する個体数、および標準的な遺伝子組換え頻度
の法則に基づいて遺伝子座の結合関係を定める過程である。「地図位置」は、対立遺伝子
が任意の種内で見つかる遺伝子地図上の特定座位である。
【０１３７】
本願明細書において用いられていている用語「ゲノム」は、文脈に応じて、例えば植物
のような生物の遺伝子一式、染色体一式の全遺伝子構成を意味する。
【０１３８】
本願明細書において用いられる用語「遺伝子型」は、その遺伝コード中に含まれる遺伝
的命令を意味する。一般に、遺伝子の遺伝子型は、その遺伝子が包含する対立遺伝子一式
である。
【０１３９】
本願明細書において用いられていている用語「発芽」は、休眠種子が休眠期間を脱して
発芽を開始し、適切な生長条件で苗に生長する過程を意味する。最も一般的な発芽の例は
、被子植物または裸子植物の種子から苗を発芽させることである。発芽は、種子中に含ま
れる幼植物が成長し、苗を形成することである。
【０１４０】
本願明細書において用いられる用語「グルコース」は、エネルギーの主要な供与源とし
て、および大部分の生きもののための重要な代謝基質として役立つ単純な単糖を意味する
。グルコースの化学式は、C6H12O6である。グルコースは、植物の光合成産物のうちの1つ
であり、グルコース分子は、糖質（例えば澱粉）の反復構成単位として貯蔵される。グル
コースは、また、細胞呼吸の重要な代謝中間体として機能する。
【０１４１】
本願明細書において用いられていている用語「収穫」は、あらゆる種類（例えばトウモ
ロコシ）の作物を取り入れる（収集する、および／または、集める）ことを意味する。
【０１４２】
本願明細書において用いられていている用語「ヘテロ接合」は、同じ遺伝子または形質
をコーディングする異なる対立遺伝子を有することを意味する。例えば、特定の形質につ
いての1つの優性対立遺伝子と1つの劣性対立遺伝子（すなわちAa）とを有する接合体であ
る。
【０１４３】
本願明細書において染色体と関連して用いられている用語「相同」は、遺伝子の同一の
直鎖配列を有し、減数分裂の間に対になるものを意味する。各相同染色体は、両親のうち
の1方から提供される染色体の1つの複製であり、一般に、相同染色体の各ペアは形状およ
びサイズが同一である。
【０１４４】
本願明細書において用いられていている用語「ホモ接合性」は、相同的染色体セグメン
トにおいて一つ以上の遺伝子座（遺伝子が位置する染色体上の特異的な場所）で同一の対
立遺伝子が存在することを意味する。
【０１４５】
本願明細書において用いられていている用語「ハイブリッド」は、異なる種または亜種
（すなわち、異種交配由来）の両親間の交雑から生じる子孫を意味する。単交雑ハイブリ
ッドは、純粋種の両親間の交雑で生じた子孫の第1世代である。複交雑ハイブリッドは、2
つの単交雑ハイブリッド間の交雑から生じた子孫である。三系交雑ハイブリッドは、単交
雑ハイブリッド系およびインブレッド系との間の交雑による子孫である。トリプルクロス
ハイブリッド（triple cross hybrid）は、2つの異なる三系交雑ハイブリッドを交雑させ
ることによって生じた子孫である。
【０１４６】
本願明細書において用いられていている用語「ハイブリダイゼーション」は、ハイブリ
ッドを作製するために、異なる品種または種の生物を交配する行為または過程を意味する
。
【０１４７】
本願明細書において用いられるフレーズ「独立遺伝」は、その他の遺伝子の対立遺伝子
が分離した方法とは無関係に、一つの遺伝子の対立遺伝子が分離して生殖細胞（配偶子）
に入ることを意味する。この過程によって、全ての想定される対立遺伝子の組み合わせが
、同程度の頻度で配偶子に発生するようになる。実際には、同じ染色体に位置している対
立遺伝子が一緒に継承される傾向があるので、これが必ずしも起こるというわけではない
。しかしながら、対立遺伝子ペアAaおよびBbが異なる染色体上に存在する場合、AB、Ab、
aBおよびabの組み合わせが、通常同程度に配偶子に発生しうる。
【０１４８】
本願明細書において用いられていている用語「インブレッド」は、同系交配によって生
じる子孫（同グループの近縁の生物から品種改良することで得られるすべての生物（例え
ば、植物）の後継世代）を意味する。概して、系統が十分にインブレッドであれば、特定
の対立遺伝子がホモ接合状態であるとみなすことができる。
【０１４９】
用語、本願明細書において用いられている用語「同系交配する」は、生物の隔離された
または閉じたグループ内での近縁の生物の品種改良を意味する。同系交配とは、好ましい
特徴を維持するために、極めて近縁の生物同士を継続的に交雑することである。
【０１５０】
本願明細書において用いられる用語「イントロン」は、コード配列でないゲノムＤＮＡ
の複数の部分を意味する。それらは、転写され、（そして転写一次産物中に存在する）が
、その後、スプライシングされる。したがって、イントロンは対応する成熟mRNAには存在
しない。
【０１５１】
本願明細書において用いられる用語「遺伝子座」は、種のゲノム中において、特定の遺
伝子型が存在する特定の染色体位置を意味する。
【０１５２】
本願明細書において用いられる用語「メンデルの法則」は、遺伝学の基礎であるグレゴ
ール・メンデルの遺伝理論を集約した2つの法則を意味する。分離の法則は、各遺伝的特
徴が2つの「因子」（対立遺伝子）によって制御され、それは分裂（分離）して、別々の
胚細胞（生殖細胞）に入ることをいう。独立遺伝の法則は、生殖細胞が形成される場合、
「因子」（対立遺伝子）のペアが互いに独立に分離することをいう。
【０１５３】
本願明細書において用いられる用語「分子マーカー」は、全ゲノムの範囲内で特定し得
るDNAの特定の断片を意味する。分子マーカーは、通常ゲノムの特異的な位置に存在し、
特定の特徴に対する特定の遺伝子または遺伝の位置に「標識を付ける」ために用いられる
。遺伝的交雑では、目的の形質を与える遺伝子は、通常、染色体上で比較的近くに位置す
る分子マーカーに連鎖される。したがって、マーカーが所望の特徴の存在を表すので、変
異は分子マーカーが存在するところに限定できる。例えば、分子マーカーは、単純反復配
列（simple sequence repeats: SSRs）、一塩基多型（single nucleotide polymorphisms
: SNPs）、ランダム増幅多型DNA（randomly ampliried polymorphic DNA: RAPDs）および
制限酵素断片長多型（restriction fragment length polymorphisms: RFLPs）を含む。ト
ウモロコシのインブレッド系統を特徴づけると共に同定し、系統を認証し、さらに、イン
ブレッド系統内での関連性を示すのに用いられる分子マーカーの使用についての付加的情
報は、J.S.Smith らの"An Evaluation of the Utility of SSR loci as Molecular Marke
rs in Maize (Zea Mays L.): Comparisons with Data from RFLPS and Pedigree," Theor
Appl Genet 95:163-173 (1997)に記載されている。マイクロサテライトまたは単純反復
配列（SSRs）は比較的短いヌクレオチド配列で、通常、2から3塩基長のタンデム配列の反
復である。増幅多型（amplifiable polymorphisms）は、通常各遺伝子座に保存される配
列の間に位置するタンデムリピートの数の相違により明らかとなる。マイクロサテライト
の遺伝子座は非常に多型で、トウモロコシを含む多くの植物種の遺伝マーカーとして有効
である。
【０１５４】
本願明細書において用いられる用語「多数の」、「多くの」および「複数の」は、1以
上、例えば、2、3、4、5、6、7、8、9、10、11、12、13、14、15、16、17、18、19、20、
25、30、35、40、45、50、55、60その他を意味する。用語「多くの」は、また、1を含む
ことができる。
【０１５５】
本願明細書において用いられる用語「変異」は、単一遺伝子における、または、染色体
の数もしくは構造における、遺伝物質の永続的な遺伝性の変化に関する。ある遺伝子によ
って運ばれる遺伝情報を変えるような方法でその遺伝子が変更される場合に、変異は起こ
る。一旦遺伝子が変わると、その遺伝子から転写されるmRNAはすぐに変更されたメッセー
ジを運び、変更されたmRNAを翻訳することによって製造されるポリペプチドは、アミノ酸
の異なる配列を含むようになる。このポリペプチドを折りたたむことによって得られるタ
ンパク質の作用も、変化または失われる。変異を起こした生物の表現型は、微妙にまたは
非常に明白に変化し得る。変異は小規模（遺伝子のヌクレオチド配列に影響する）または
大規模（染色体の変化を伴う）であり得る。紫外線、電離放射線、化学的変異源、ウイル
スその他に暴露することによって、欠失（遺伝物質中の一つ以上のヌクレオチドの欠失）
、挿入（遺伝子材料中の新たな場所に一つ以上の追加のヌクレオチドの挿入）または置換
（例えばＡからＧへの転換のような、遺伝物質中の１つ以上のヌクレオチドの変更）が起
こり得る。例えば、置換は、（i）異なるアミノ酸をコードするコドンに変更し、生成さ
れたタンパク質に僅かな変化を引き起こすもの、（ii）同じアミノ酸をコードするコドン
に変更し、生成されたタンパク質に変化を生じさせないもの、または、（iii）アミノ酸
コーディングコドンを「ストップ」コドンに変更し、不完全なタンパク質を生成するもの
、であり得る。変異は、新たな特徴または形質を作り出すことができる。変異は生物の適
応性を向上し、自然淘汰をうけながら後の世代個体群を経て広がり得る。変異は、遺伝子
変異の主たる要因であり、特定の変異遺伝子または対立遺伝子を対応する野生型遺伝子ま
たは対立遺伝子と比較して、これら２つの遺伝子または対立遺伝子間の差異を決定するこ
とができる。変異には、様々な種類がある。例えば、点変異は遺伝子中の一つのヌクレオ
チドの置換であり、一つの遺伝子中にいくつかの点変異があり得る。点変異は一般的に読
み枠のシフトを起こすことはなく、したがって、大抵の場合、一つのアミノ酸置換を引き
起こすだけである。タンパク質をコーディングしているDNAが3塩基長のコドンに分割され
るので、挿入および欠失によって、遺伝子がもはやそのメッセージを正確に解読できない
ように変更されてしまうおそれがある。これらの変化は「フレームシフト」として知られ
ている。フレームシフトでは、同様のエラーはDNAレベルで生じ、コドンが誤って解読さ
れる。これは通常、不要な、不完全なタンパク質を生成する。変異に関する付加的情報は
、Mutation：Science of Everyday Things (Gale Group, 2002)に記載されている。
【０１５６】
本願明細書において用いられていている用語「NIL」は、例えばスイートコーンのよう
な植物の系統の、1つの遺伝子座を除いて遺伝的に同一である準同質遺伝子系統を意味す
る。
【０１５７】
本願明細書において用いられているフレーズ「官能試験」は、分解により必ず生じる物
理的および／または化学的変化の試験を意味する。官能試験は、例えばスイートコーンな
どの食品について、温度、味、におい、質感、および／または、その他の人間または動物
の感覚器官に感知されうる性質を測定および評価するために行うことができる。「官能」
とは味、色、におい、および/または、感触などの、物質の感覚特性を意味し、「官能試
験」とは味覚、感触、におい、および/または、視覚による物質の試験を意味する。
【０１５８】
本願明細書において用いられている用語「表現型」は、スイートコーンにおけるその形
態、発達、および/または、生化学的若しくは生理的特性のような、生物の観察可能な特
徴または形質を意味する。一般的に表現型は、生物の遺伝子の発現と環境要因、およびこ
れら２つの間に起こりうる相互作用により生じる。自然界の固体群では、ほとんどの表現
型の変動は継続的であり、1つまたは複数の遺伝子座の対立遺伝子により影響される。
【０１５９】
本願明細書において用いられている用語「植物」は、以下の特性によって特徴づけられ
る、植物界に属するあらゆる生物を意味する。
・光合成により自ら食糧を生成する能力（すなわち、クロロプラストの内の緑の色素（
クロロフィル）でエネルギーを捕捉することができ、二酸化炭素および水を用いて食糧と
しての糖、副産物として酸素を作り出すことができる
・食糧は糖および澱粉の形で貯蔵することができる
・細胞膜とは別に、硬い細胞壁を有する
・真核細胞（すなわち、膜によって囲まれ、区別された核を有する）である
・ほとんどが多細胞（すなわち、特定の機能を行うために体系化された多くの細胞から
なる）である
・分裂組織（もし存在すれば）で制限なく成長する
・器官が固定、支持および光合成に特化している（例えば、根、茎、葉、等）
・感覚器および神経系がないため、刺激への応答がいくぶん遅い
・可動性器官を欠くため、動きが制限されている、および/または、
・胞子体および配偶体段階を有する生活環を有する。
植物は生態系において主要な生産者であり、例えば木、草本、低木、草、つる草、シダお
よびコケを含む。特定の植物の例を非限定的に列挙すると、レタス、タバコ、綿、コーン
、米、小麦、にんじん、きゅうり、ニラネギ、エンドウ、メロン、ポテト、トマトウモロ
コシ、ライ麦、オートムギ、サトウキビ、ピーナツ、亜麻、豆、テンサイ、ソーヤおよび
ヒマワリがある。
【０１６０】
本願明細書において用いられている用語「プラスミド」は、一般的に植物細胞で見られ
る色素性の細胞質性器官で、食糧の合成および貯蔵など、多くの生理学的な機能を有する
。
【０１６１】
本願明細書において用いられている用語「多面発現性の」は、ひとつの遺伝子から多数
の効果がおきるという意味である。例えば、ヒトにおいて、マルファン遺伝子は多面発現
性であり、長い指および足指、目のレンズの転置および大動脈の解離性大動脈瘤を生じさ
せ得る。
【０１６２】
本願明細書において用いられている用語「花粉」は、ほとんどの植物で雄性の生殖細胞
を含む花粉の粒から成る細粒のパウダー様の物質である。花粉は一般的に種子植物の葯に
よって作られる。
【０１６３】
本願明細書において用いられている用語「授粉」は、子孫を作成するため（種子を形成
するため）に、植物花粉が通常、植物の葯から柱頭に（雄性生殖器官から雌性生殖器官へ
）移動されるプロセスを意味する。顕花植物では、花粉は葯から柱頭に、大抵風または虫
によって移動する。コーンを結実する植物（cone-bearing plant）では、雄性（male）コ
ーンは花粉を放出し、放出された花粉は、通常風によって雌性（female）コーンの胚珠へ
運ばれる。花粉粒は、一般に生殖細胞および管細胞の2つの細胞を含む。雄原核は分裂し
て2つの精核を形成する。その管細胞は通常、卵巣に含まれる胚珠のうちの1つにたどり着
くまで雌蕊中で伸長する。2つの精子は管の下に移動して胚珠に入り、通常1つの雄核が卵
子と結びつく。もう一方の雄核が、通常胚珠内に存在する極核と結合し、「重複受精」と
して知られている過程を完了する。その後、これらの受精核は、一般に、胚に養分を供給
する組織である内果皮に発達する。胚珠自体は、一般に、花の子房（それは、果実に熟す
る）に含まれる種子に発達する。裸子植物において、胚珠は露出しており（子房に収容さ
れていない）、雄性生殖構造によって作製された花粉は、直接雌性生殖構造の胚珠に到達
する。
【０１６４】
本願明細書において用いられるフレーズ「PCR法」および「PCR」は、当業者に周知の技
術であり、余分な非特異的DNAの存在下であっても、in vitroでDNAの特定部分を複製する
技術を意味する。プライマー（各鎖の転写を始める）はヌクレオチドおよび熱安定性のTa
qポリメラーゼとともに加えられる。温度を循環させることによって、標的DNAは反復して
変性および複製される。新たに合成されたDNA鎖は、その後、同じプライマー配列の追加
の単プレートとして機能するため、その後のプライマーアニーリング、鎖伸長および解離
の循環により、所望の配列を迅速且つ非常に特異的に増幅することができる。PCRはまた
、DNAサンプルに所定配列が存在するか判定するために用いることもできる。他の不要なD
NAと混合されている場合であっても、標的DNAの単一コピーを増幅して何億もの複製を得
ることができる。RNAが逆転写酵素によってDNAに最初に変換される場合、PCRはRNA配列を
増幅するために用いることができる。PCRバッファ、プライマー、プローブ、コントロー
ル、マーカー、増幅キット、sDNA合成キット、一般のPCRキットなどは、当業者に既知の
供与源、例えばアプライドバイオシステム社（Foster City、CA）から入手可能であり、
本発明の当業者によって容易に用いることができる。
【０１６５】
本願明細書において用いられる用語「最も食用に適した段階」および「ピークの食用段
階」は、植物、例えばスイートコーン、が最も好ましい、または、最も甘い味がする段階
を意味し、それは、本願発明の当業者によって容易に決定可能である。スイートコーンで
は、最も食用に適した段階は、コーン穀粒が含水率約75%のときであり得る。例えば、ス
イートコーンは、全てが同時に熟成する傾向があり、最も食用に適した段階を過ぎると、
甘味は一般に減少するかなくなり、消費者に好ましくない、味気ない、澱粉質な味に変わ
ってしまう。
【０１６６】
本願明細書において用いられる用語「ヌクレオチド」は、核酸（例えばDNAおよびRNA）
の基本構造ブロック（サブユニット）を意味する。それは、通常、窒素性塩基、糖および
リン酸基から成る有機化合物である。DNA分子は糖成分がデオキシリボースであるヌクレ
オチドから成るが、RNA分子は糖がリボースであるヌクレオチドを有する。最も一般的な
ヌクレオチドは、窒素性塩基の構造に基づいて、プリンおよびピリミジンに分割される。
DNAにおいて、プリン塩基はアデニンおよびグアニンであり、ピリミジン塩基はチミンお
よびシトシンである。RNAは、アデニン、グアニン、シトシン、および、チミンの代わり
にウラシルを含む。核酸の前駆体として役立つこととは別に、ヌクレオチドは、細胞シグ
ナリングおよび代謝の重要な補因子としても役立つ。これらの補因子は、フラビンアデニ
ンジヌクレオチド（FAD）、フラビンモノヌクレオチド、アデノシン三リン酸（ATP）およ
びニコチンアミドアデニンジヌクレオチドリン酸（NADP）を含む。DNAまたはRNA分子を形
成するために、通常何千ものヌクレオチドが長鎖において相互に接続される。DNAオリゴ
ヌクレオチドは、比較的少数の（オリゴ）ヌクレオチド塩基から成るDNAの短い断片であ
る。
【０１６７】
本願明細書において用いられる用語「果皮」は一般に子房壁から生長する植物果実、例
えばコーン穀粒、の壁を意味し、それは外側の外果皮、中心の中果皮および内側の内果皮
を含む。
【０１６８】
本願明細書において用いられる用語「フィトグリコーゲン」は、グリコーゲンと類似の
構造および類似の性質を有している植物多糖を意味する。例えば、スイートコーンに存在
するフィトグリコーゲンは、高い分岐度の、平均単位鎖長13の水溶性グリカンである。
【０１６９】
本願明細書において用いられる用語「ポリヌクレオチド」は、鎖状に共有結合されたヌ
クレオチドモノマーで構成される有機ポリマー分子を意味する。DNA（デオキシリボ核酸
）およびRNA（リボ核酸）は、異なった生物学的作用を有するポリヌクレオチドの例であ
る。  
【０１７０】
本願明細書において用いられる用語「多糖」は、例えば、グリコシド結合でつながれる
多くの単糖からなる澱粉およびセルロースなど、あらゆる炭水化物類を意味する。
【０１７１】
本願明細書において用いられる用語「タンパク質」は、タンパク質をコーディングする
遺伝子のヌクレオチドの塩基配列によって決定される、一つ以上の、特定の順序のアミノ
酸の鎖から成る大きな分子を意味する。タンパク質は、細胞の構成、作用および制御のた
めに必要であり、各々のタンパク質はユニークな作用を有する。
【０１７２】
本願明細書において遺伝子と関連して用いられている用語「劣性の」は、ホモ接合状態
で表現型の影響が発現される遺伝子で、優性対立遺伝子がある場合（その遺伝子について
ヘテロ接合の生物の場合）には、覆い隠される遺伝子を意味する。通常、優性遺伝子は機
能的生成物を作製するが、劣性対立遺伝子は作製しない。通常、優性対立遺伝子は、一つ
の核につき、1つでも2つでもその表現型を発現するが、劣性対立遺伝子は優性対立遺伝子
が全く存在しない場合にのみ発現する。
【０１７３】
本願明細書において用いられていている用語「種子」は、裸子植物および被子植物（雌
雄性細胞）の有性の生殖周期において形成される、胚および貯蔵養分を取り囲んでいる保
護膜を含む繁殖器官を意味する。一般的に、種子は、植物の受精胚珠内の小さく固い果実
である。種子は、2つの主たる構成要素として、胚および胚乳を有する。胚乳は、胚に豊
富な養分を供給して、長期間にわたって胚が徐々に生長できるように、養分を貯蔵する。
大部分の種子は、活発な成長がない休止の一定期間を経る。この間に、種子は新しい場所
へ問題なく運ばれ、および／または、生長に適した条件になるまで不適切な気候条件を乗
り切ることができる。種子は胚を含み、さらに、大部分の植物では、種子は、種皮に包ま
れた貯蔵養分を含む。好適な生育条件下では、種子は発芽し始め、胚組織は生長を再開し
て苗へと成長する。種子、苗、発芽および植物成長についての付加的情報は、P. Raven 
らによる、 Biology of Plants (7th Edition, New York: W. H. Freeman and Company),
504-508 (2005)、および、B. Larkinsらによる, Cellular and Molecular Biology of P
lant Seed Development (Kluwer Academic Publishers, 1997)に記載されている。
【０１７４】
本願明細書において用いられる用語「苗」は、種子の植物胚から発達する苗胞子体を意
味する。苗の発育は、種子の発芽によって始まる。典型的な苗は、3つの主要な部分、 (i
)幼根（胚の根）、(ii)胚軸（胚の苗条）、および、(iii)子葉（種子の葉）から成る。一
般的に、発芽中、苗は、保護種皮からはじめに幼根を出し、その後、子葉を出す。幼根は
重力の方向へ向かい、胚軸は重力と反対方向へ向かう。そして、胚軸は、細胞増殖して伸
張し、地面から子葉を押しだす。概して、苗の生育は暗形態形成で開始するが、苗は土壌
中で生長し、できるだけ速く光に到達するように成長する。通常、この段階中、子葉はき
つく閉じており、土壌中を押し進む間、茎頂分裂組織の損傷を防ぐため、先端にフックを
形成する。多くの植物において、さらなる保護のために種皮は子葉をまだ覆っている。地
表からでて光に到達すると、苗の生育プログラムは光形態形成に通常切替えられる。子葉
は、一般に光と接触して開き（まだ種皮が存在する場合、種皮を裂いて開く）、苗の第1
の光合成器官を形成して緑色になる。この段階までは、苗は一般に種子に貯蔵されている
エネルギーの蓄えを消費して生きる。子葉が開くと、一般に苗の第1本葉から成る茎頂分
裂組織および幼芽が露出する。苗は、光レセプターフィトクロム（赤および近赤外光）お
よびクリプトクロム（青色光）で光を感知する。通常、苗は、一旦光合成を始めると種子
のエネルギー備蓄にもはや依存しない。通常、頂端分裂組織は生長し始め、根（一般的に
土壌表面下にある植物の器官）、および苗条（例えば茎および葉のような新規の植物成長
）を増加させる。通常、第1の「本」葉が広がると、その種依存的に異なる形状により、
丸い子葉とたいてい区別することができる。植物が生長して更なる葉を生じる間に、子葉
は最終的に老化して落ちる。
【０１７５】
本願明細書において用いられる用語「分離比分析」は、対立性を確認するための方法を
意味する。これは、ホモ接合であるが対象の遺伝子座に異なる対立遺伝子を含む2つの系
統を交雑させることによって行うことができる。そうすると、予想されるメンデル分離パ
ターンを試験するため、分離世代の対立遺伝子の分離を調べることができる。一般に、同
じプローブに対するＤＮＡフラグメントの相同性および多様なインブレッド系統間の相互
排他性は、対立性の検定に妥当な性質である。
【０１７６】
本願明細書において用いられていている用語「自家受精」は、それ自身の柱頭上に花粉
を置くことによって手作業で植物に授粉することを意味し、それは対立遺伝子をホモ接合
性とすることができる品種改良戦略である。両親が同じ対立遺伝子のホモ接合である場合
、この対立遺伝子は単に遺伝し、通常、子孫はこの同じ対立遺伝子のホモ接合となる。一
方では、もし両親がホモ接合であるが異なる対立遺伝子、AおよびBのホモ接合であり、単
交雑であれば、子孫はヘテロ接合体A/Bとなる。また、両親がホモ接合であるがAまたはB
のホモ接合であり、多くの自家受精を伴うと、子孫はそれぞれ1/2となりうる。
【０１７７】
本願明細書において用いられる用語「sh2-i変異対立遺伝子」、「sh2-i対立遺伝子」、
「sh2-i変異遺伝子」および「sh2-i遺伝子」は、本願明細書において記載され示される同
じイントロンスプライス部位ポイントミューテーションを含む変異対立遺伝子または遺伝
子を意味し、sh2-iとして、またはsh2-N2340のようないくつかの他の名称によって表され
、本願明細書において記載されるような同じ特徴を与える。
【０１７８】
本願明細書において用いられていている用語「土」は、例えばトウモロコシ種子のよう
な植物種子が一般的に植物へと適度に生長する、陸生植物の生長のための天然培地として
役立つ、例えば地球の表面に存在する、遊離ミネラルまたは有機材料など、あらゆる種類
の培地または培地の混合を意味する。このような培地は当業者に既知である。
【０１７９】
本願明細書において用いられる用語「澱粉」は、グリコシド結合で相互に結合する、多
数のグルコース単糖単位を一般に含む多糖炭水化物を意味し、植物種子、球根および塊茎
に存在する。澱粉は通常、主にアミラーゼおよびアミロペクチンとして存在する。植物は
、多くのグルコースを貯蔵する方策として、および、ミトコンドリアの酸化的リン酸化中
の食糧として澱粉を使用する。
【０１８０】
本願明細書において用いられている用語「スクロース」は、多くの植物に存在するグル
コースおよびフルクトースから生成され、甘味料または防腐剤として広く使われている二
糖を意味する。
【０１８１】
本願明細書において用いられる用語「糖」は、あらゆる二糖（例えばスクロース）およ
び単糖（例えばフルクトースまたはグルコース）を意味する。糖は、生細胞の必須の構造
成分であって、多くの生物（例えば植物）のためのエネルギー源である。植物は、エネル
ギーを貯蔵するために糖を用いる。糖は、分子に存在する単糖単位数に基づいて分類され
る。単糖が結合し、多くの複合糖類（例えば二糖）を形成する。
【０１８２】
本願明細書において用いられる用語「検定交雑」は、生物を、例えば未知の遺伝子型を
有する植物を、ホモ接合劣性生物（テスター）に交雑させることを意味する。検定交雑は
、未知の遺伝子型の個体またはヘテロ接合体（または多重ヘテロ接合体）をホモ接合劣性
個体に対して交雑することである。
【０１８３】
本願明細書において用いられている用語「特徴」は、特徴的な品質または特徴に関し、
通常、生物（例えばスイートコーン）の、例えば、スイートコーンの糖質含量のような、
継承され得るおよび／または環境的に決定され得る表現型の特徴が異なる変異型である。
植物育種の目的は、一般に、一つ以上の特性の性能が両親を上回る子孫を作製することで
ある。かかる子孫（超越分離個体）は、例えば分離比分析のような当業者に周知の技術を
用いて特定し得る。超越分離を観測するために、通常、様々な遺伝子座において好ましい
対立遺伝子の点で相補的な両親を選択しなければならない。そうして交雑および遺伝子組
換えによって、一方の親よりも好ましい対立遺伝子を含む子孫を生じることができる。
【０１８４】
本願明細書において用いられる用語「転写」は、DNAの命令下でのRNAの合成を意味する
。RNA合成または転写は、RNA配列情報にDNAヌクレオチド配列情報を転写する過程である
。両方の核酸配列は相補的言語を用い、その情報は、単純にある分子から他の分子に転写
または複製される。DNA配列はRNAポリメラーゼによって酵素的に複製され、相補的ヌクレ
オチドRNA鎖（メッセンジャーRNA、すなわち、mRNA）が生成される。mRNAは、DNAの遺伝
情報を細胞のタンパク質を合成する機構へ運ぶ。RNA配列とDNA配列との間の1つの重要な
差異は、DNAのTすなわちチミジンの代わりにUすなわちウラシルが存在することである。
タンパク質をコードしているDNAの場合、転写は通常、遺伝子からのタンパク質構成命令
に忠実な転写産物である中間体mRNAの生産による遺伝子発現に関する第一段階である。1
つのRNA分子に転写されるDNAの範囲は、転写単位である。タンパク質に変換されるDNA転
写単位は、タンパク質に変換される配列をコーディングすることに加えて、タンパク質合
成を命令および制御する配列を含む。（上流（-）、5’DNA末端に向かう）コード配列前
の調節配列は5’非翻訳領域で、（下流(+)、3’DNA末端に向かう）コード配列後に見られ
る調節配列は、3’非翻訳領域である。DNA複製と同じように、RNAは、5’→3’方向に合
成される。2つのDNA鎖のうちの一方のみが、転写される。この一方のDNA鎖は、RNA転写物
のヌクレオチド配列を指示するテンプレートを提供するので、鋳型鎖である。もう一方の
DNA鎖は、その配列が新しく作成されたRNA転写物と同様である（チアミンの代わりのウラ
シルを除いて）ため、コーディング鎖である。RNAポリメラーゼによってDNA鋳型鎖は、3
’→5’で読まれ、新規なRNA鎖が5’→3’方向で合成される。ポリメラーゼは、DNA鋳型
鎖上の遺伝子（プロモータ）の3’末端に結合し、5’末端へ移動する。転写は、翻訳開始
前、翻訳開始、プロモーター除去、伸長および終了の5つの段階に分割される。転写につ
いての付加的情報は、J. Berg J らによる、 Biochemistry (6th ed., San Francisco: W
. H. Freeman, 2006)および R.J. Brooker, Genetics: Analysis and Principles (2nd e
d., New York: McGraw-Hill, 2005)に記載されている。
【０１８５】
本願明細書において用いられていている用語「翻訳」は、ポリペプチド鎖を合成する過
程を意味する。ポリペプチド鎖のアミノ酸配列は、メッセンジャーRNAが転写される元と
なる遺伝子のDNAの塩基配列によって決定される。翻訳に関する付加的情報は、D.V.Limに
よる、Microbiology (3rd ed., Kendal/Hunt, 2003)に記載されているする。
【０１８６】
本願明細書において用いられていている用語「生長力」は、種まき後（すなわち、繁殖
のために地面に種子を適当に蒔いた後）の時間を通じた植物成長および／もしくは葉体積
の増加、並びに／または、種子、苗および／もしくは植物の強度および／若しくは成長の
ための力の発揮またはそれらの尺度を意味する。成長力は、文脈に応じて、例えば、強化
された発芽、および／または、地面からの出芽を意味する。「活発」と言われ得る植物系
統は、その系統が非常に健康に生える場合、様々な生体のおよび非生物的なストレスに耐
性がありおよび／または高収率であり、最適状態に及ばない状態の下でおそらく安定であ
る。生長力は、当業者に既知の方法によって、測定され、そして、異なる植物品種に対し
て（または特定の植物品種の範囲内の特定の系統に対して）パーセンテージ（0%から100%
まで）で比較される。あるいは、一般に、特定の植物品種（または系統）の（種子、果実
、野菜、植物および／またはその他の）生長および収穫が大きいほど、植物が有する生長
力は高い。例えば、あるスイートコーン品種または系統は、他のスイートコーン品種また
は系統と比較して、10%より少ない穀粒を生産する。植物ハイブリッド「収穫生長力」（
および他の生長力）を決定する1つの方法が、米国特許第7,084,320号B2に記載されている
。生長力を決定する他の方法は、当業者に知られている。
【０１８７】
本願明細書において用いられている用語「収穫」は、植物（植物材料および／または種
子生産性）に関し、例えば商業的に重要な特定の植物性産物の単位面積あたりの生産性で
ある。例えば、大豆の収穫量は、季節ごとに、エーカーあたりの種子のブッシェルまたは
ヘクタールあたりの種子のメートルトンで一般に測定される。
【０１８８】
本願明細書において用いられている用語「野生型」は、変異前の固有または支配的な遺
伝学的な構成に関し、通常、本来存在している遺伝学的な構成を意味する。
【０１８９】
（一般的説明および有用性）
本発明は、消費者及び商業的植物栽培者にとって、様々な非常に有益な特徴を付与され
、有する、植物、例えばコーン穀粒などの植物材料および種子、そしてコーンを開発及び
生産するための、ユニークで、費用効果的で、信頼性が高く、効率的で、そして、成功し
た方法を提供する。さらに、本発明は、これらの方法に従って作製された、改良および／
または強化された植物、植物材料および種子を提供する。これらの、本発明による方法は
、例えば比較的低い温度、乾燥条件、低養分およびその他の痩せた土壌状態、密集、病気
、昆虫、動物、汚染などの、相当量の環境またはその他のストレスにさらされる場合でも
、後述する（及びその他の）特徴または特性を一般に含む、多数の非常に有益なおよび好
ましい特徴または特性を有する、インブレッド、ハイブリッドおよびその他の植物、植物
材料並びに種子を非常に有利に提供する。コーン植物に関してこれらの有益な特性を以下
に記載するが、他の植物種に関してもかかる特性を生じさせることができる。
【０１９０】
炭水化物含量が低く、したがって、初期およびその後のエネルギーレベルおよび／また
は水溶性の多糖類レベルが非常に低い、従来のshrunken-2（sh2）およびshrunken-2i（sh
2-i）変異遺伝子コーン品種（および、野生型コーン品種のような他のコーン品種）と比
較すると、コーン穀粒は乾燥種子の段階では外観上比較的ふっくらとしており、より高い
炭水化物含量および水溶性多糖類（WSP）含量を有する。これにより、shrunken-2（sh2）
およびshrunken-2i（sh2-i）変異遺伝子コーン品種（および他のコーン品種）と比較する
と、植物の初期およびその後のエネルギーレベルおよび成長特性が非常に強化され、有利
である。成長特性は、例えば、種子発芽、土壌からの苗の発生および植物発達の間の、比
較的強い（そして、最大化された）コーンの生長力および適応性である。このような植物
は、澱粉備蓄が比較的高いため、比較的強く且つ均一に成長し、したがって、植物生産者
及び家庭の園芸家に非常に好ましいことに、植物が比較的丈夫になり、収穫量および植物
収量が比較的多くなる。
【０１９１】
驚くべきことに、そのコーン穀粒は、従来のsugary-1（su1）、sugary enhancer-1（se
1）およびshrunken-2（sh2）スイートコーン品種と比較して、さらには、これら３つの変
異対立遺伝子の全てを含むスイートコーン品種と比較して、食感品質において有利に匹敵
する。さらに、それらのスイートコーン品種（および他のスイートコーン品種、例えば野
生型コーン品種）より、食感品質が良好な場合がある。上述のコーン穀粒は、全糖含有量
が高い（多くの従来のコーン品種の糖質水準の2〜3倍）ので、従来のsugary-1（su1）変
異遺伝子コーン品種および他のコーン品種と比較して、非常に好ましい甘みが感じられる
。このことは、コーン穀粒が消費者の食用に供される際には、非常に好ましい。（コーン
穀粒糖含量は、例えばガスクロマトグラフィなど当業者によって知られている方法を用い
て定量化することができる。）最も食用に適した段階後（特に最も食用に適した段階直後
1-14日間）のコーン穀粒の糖質貯留および糖質による甘味は、従来のsugary-1（su1）お
よびshrunken-2i（sh2-i）変異遺伝子コーン品種（および他のコーン品種）と比較すると
非常に延長される。従来のsugary-1（su1）およびshrunken-2i（sh2-i）変異遺伝子コー
ン品種（および他のコーン品種）では、上述の期間に、糖質が澱粉に急速に転換する（糖
質の損失が生じる）ことにより、コーン穀粒の甘味が減少し、甘味が劣化する前の収穫適
期が最も食用に適した段階後すぐに終了してしまう。上述のような糖質貯留により、消費
者にとって非常に有利なことに、コーン穀粒の甘味がより長く持続し、コーンの収穫適期
がより長くなり、コーンの保持能力がより長く持続し、および最も食用に適した段階後甘
味が悪化する前の期間である貯蔵寿命がより長くなるため、コーン生産者に対して非常に
有利なことに、収穫及び取り扱い条件に非常に高い柔軟性をもたらす。従来のsugary-1（
su1）およびshrunken-2i（sh2-i）変異遺伝子コーン品種（および他のコーン品種）と比
較すると、最も食用に適した段階直後約1-14日の最も食用に適した段階（ピークの食感品
質）、およびそれに続く現実的な期間で、コーン穀粒の澱粉蓄積を減少する。
【０１９２】
本発明の方法に従って作製されるハイブリッドトウモロコシ品種のコーン穀粒はなめら
か且つ魅力的であり、甘く、柔らかく、ふっくらとしており、そしてクリーミーであり、
世界中の消費者にとって非常に好ましい高い食感品質を有する。
【０１９３】
コーン育種家、コーン生産者、コーン栽培家、科学者その他は、上記各々および非常に
好ましい生産量および消費者特性（すなわちこれらが統合された特性）を含むスイートコ
ーンを生産することができなかった。更に、本発明の発明者は実験を行うことに4年以上
を費やし、これらの非常に好ましい複合特性を有し、且つ、一つ以上の他の変異対立遺伝
子とともにshrunken-2i（sh2-i）変異対立遺伝子を含むスイートコーンのハイブリッド種
を成功裏に開発および栽培することを試み、そして、驚くべきことに、また、予想外なこ
とに、最終的にこの目的を達成することができた。
【０１９４】
本発明の方法は、スイートコーンまたは他の植物に存在する特異的な変異対立遺伝子を
shrunken-2i（sh2-i）遺伝子と組み合わせることができる。変異対立遺伝子は、sugary-1
（su1）、sugary enhancer (se1）およびshrunken-2（sh2）を含むが、これに限定される
ものではない。変異対立遺伝子は、shrunken-2i（sh2-i）遺伝子と結合してスイートコー
ン（または他の植物）ハイブリッドとなって発現される場合、スイートコーンに強化され
た成長特性、例えば、発芽および苗生長力を与え、さらには、上述したような他の非常に
有益な特徴を与える。好ましくは、本発明による方法は、固有の、sh2-iと組み合わせて
、su1 su1、se1 se1をシーケンシャルレイヤリングすることによって、商品保持能力（pr
oduct holding ability）および貯蔵寿命に加えて、強化された苗発芽および生長力を維
持することができる。
【０１９５】
本発明による方法は、上記の変異対立遺伝子を含む商業的な（および他の）ハイブリッ
ド、インブレッドおよび他の植物系統の利用及び同定に関するものである。これらの植物
系統は、単独でまたは組み合わせて利用及び同定され、さらに苗および植物の成長特性に
関して従来の予想を上回るものである。これらの変異対立遺伝子は、特定の組み合わせに
応じて異なる、強い甘味および薄い穀粒果皮を与える。
【０１９６】
本発明およびその目的によって解決される課題は、shrunken-2i（sh2-i）遺伝子を含む
スイートコーンの炭水化物蓄積の制御および果皮柔軟性を操作することである。本願明細
書において記載される実施例は、この課題を解決し、およびこの目的を達成するために行
われた実験を記載する。
【０１９７】
本発明による方法に従って栽培し得る植物種子、植物材料および植物は、shrunken-2i
（sh2-i）変異対立遺伝子と、少なくとも一つの他の有益な変異対立遺伝子とをゲノムに
組み込まれて有することができる。少なくとも一つの他の有益な変異対立遺伝子は、変異
sugary-1（su1）、sugary extender-1（se1）および／またはshrunken-2（sh2）を含むが
、これらに限らない。これらの変異対立遺伝子は、発現されると本願明細書に記載するよ
うな、有益かつ複合的な生産者特性および消費者特性を与え、これらの特性は、当業者に
は明らかである。
【０１９８】
好ましい実施例において、本発明は、スイートコーンの変異sugary（su1）、sugary en
hancer（se1）および／またはshrunken-2（sh2）対立遺伝子とshrunken-2i変異（sh2-i）
対立遺伝子の、ユニークな逐次組み合わせまたは重ね合わせが関係するものである。変異
sh2i対立遺伝子と組み合わせた、su1su1、se1se1のユニークなシーケンシャルレイヤリン
グは、生産物保持能力および貯蔵寿命とともに強化された苗発芽および生長力を維持する
ように機能し、および本願明細書において記載されている他の有益な特徴を有するスイー
トコーン（および他の植物）を提供する。
【０１９９】
（変異遺伝子のヌクレオチド配列）
本願明細書では、本発明の方法で使用し得るいくつかの変異遺伝子のヌクレオチド配列
を記載する。本発明で使用し得る他の変異遺伝子のヌクレオチド配列、および関連したヌ
クレオチド配列、または他のヌクレオチド配列は、当業者に周知である供給元、例えばMa
ize GeneticsおよびGenomicsおよび／またはGenBankデータベースから容易に得られる。
【０２００】
Maize GeneticsおよびGenomicsデータベースは、作物植物トウモロコシについての生物
情報のためのコミュニティ・データベースであり、USDA Agricultural Research Service
によって設立された。このデータベースを通じて、遺伝子、ゲノム、配列、遺伝子産物、
機能的評価、参照文献および人/組織の連絡先などの情報を得ることができる。
【０２０１】
GenBank配列データベースは、オープンアクセスで、注釈つきの、全ての公的に利用可
能なヌクレオチド配列およびそれらのタンパク質翻訳の情報の蓄積である。このデータベ
ースは、国立衛生研究所（Bethesda, MD）の支所であるNational Centers for Biotechno
logy Informationにて作成され、Entrez検索エンジンによりオンラインで利用可能である
。GenBankおよびその共同体は、世界中の研究室で作成される100,000以上の異なった生物
の配列を受信する。それは指数関数的速度で増大し続け、18ヵ月ごとに２倍になる。それ
は、6千100万以上の配列に含まれる650億以上のヌクレオチド塩基を含む。
【０２０２】
（植物分子作用および分子マーカー）
植物分子作用のための標準材料および方法は、R. D. D. Croyによる、"Plant Molecula
r Biology Labfax" (BIOS Scientific Publications Ltd (UK) 及び Blackwell Scientif
ic Publicationsによる共同出版、1993年、英国)、およびD. R. Duncanらによる"Methods
in Molecular Biology, Plant Cell and Tissue Culture" (Humana Press, Clifton, NJ
(1990))に記載されている。
【０２０３】
本発明による方法を導いた実験は、ゲノムのマーカーにより支援された選択の使用によ
って容易になった。
【０２０４】
分子マーカーは、植物育種家が比較的迅速かつ正確に、農業、園芸、ぶどう栽培、およ
び、装飾産業のための植物を改良する、きわめて重大な形質を選択するために役立つこと
ができる。それらは、また、ハイブリッド、変種およびインブレッド純度に関して、品質
保証担当者が適切な判定をするのに役立つことができる。
【０２０５】
DNAベースのマーカーの適用により、植物育種家が分子レベルで物理的特徴を同定する
ことが可能となり、そして植物品種の作成および複製の際の科学的な方法が可能となる。
植物育種および種子生産プログラムは、分子マーカーを適用して、特性の選択およびマッ
ピングを行い、または品種およびハイブリッドの遺伝子型を決定することによって、改良
することができる。分子マーカーは、植物の分離集団を必要とする、量的形質を制御する
遺伝子座の位置を決めておよび比較するための手段を提供する。各分離集団の遺伝子型は
分子マーカーを用いて決定されうる。
【０２０６】
特定の特性を制御する遺伝子に密接に関連する個体群の両親間の多型を示す分子マーカ
ーは、主にその遺伝的および観察可能な特性によって相互に分離する（すなわち、遺伝子
の影響が大きい場合、表現型に従って分離する）。そして、植物が特性の発現に従って分
類され、そして、極端なグループを多型マーカーで試験すると、それぞれ、2つのバルク
のうちの一方の中にある2つのマーカー対立遺伝子の頻度は、大部分の個体群に予想され
る1:1の比率からかなり離れる。現在、多くの種で、多くの分子マーカーの染色体位置が
決定されおり、必ずしも分離集団の各個体について遺伝子型を決定しなくても、密接に関
連する遺伝子の地図位置を推測することができる。分子マーカーをトウモロコシその他の
作物および植物の複合個体群に用いることで、様々な形質を伴う量的形質遺伝子座の位置
を決めることができる。
【０２０７】
対照的に、従来の植物育種は、主に、方向性のあるハイブリダイゼーションにより生じ
た分離後代に含まれる所望の固体の表現型を選択することに基づいて行われてきた。いく
つかの場合において、分離集団由来の植物は、形質の表現型発現に従って分類することが
でき、および個体群バルク間でバルク分離体分析（BSA）または他の方法を用いて対立遺
伝子頻度の相違を試験することができる。アイソザイム、RFLP、RAPDなどの、遺伝子地図
を作成するために用いたプローブと同じプローブは、BSAのために用いることができる。
農学的に好ましい形質の表現型選択による作物改良により進歩してきたが、かかる過程の
間にたいてい重大な問題に直面する。それらの問題は、遺伝子型環境相互作用、上位性お
よび多面発現性の影響、または多数の他の因子により起こり得る。スイートコーン変異対
立遺伝子の同定および定量は、表現型による同定および選択の不足によって特に妨げられ
る。
【０２０８】
特定の変異遺伝子の酵素の基礎が知られていない場合であっても、および酵素をコード
している遺伝子のヌクレオチド配列が知られていない場合であっても、およびMaize Gene
ticsおよびGenomicsまたはGenBankデータベースに存在しない場合であっても、本願明細
書において詳細に実施例で記載されているように、依然として、遺伝子を含んでいる染色
体上の近くの分子マーカーを追跡することによって、当業者は、遺伝子の遺伝を決定する
ことができる。
【０２０９】
記載される実施例において用いられている分子マーカーのためのプライマーは公的に利
用可能であり、インターネットサイトmaizegdb dot orgのMaize GeneticsおよびGenomics
データベースにおいて見つけることができる。次のものは、役立つ分子マーカーの実施例
用のプライマーである。
【０２１０】
（染色体2上のse1対立遺伝子の分子マーカー用のプライマー）
umc1551:
CACCGGAACACCTTCTTACAGTTT  
CGAAACCTTCTCGTGATGAGC
bnlg1520:
TCCTCTTGCTCTCCATGTCC  
ACAGCTGCGTAGCTTCTTCC  
phi427434:
CAACTGACGCTGATGGATG   
TTGCGGTGTTAAGCAATTCTCC   
umc2077:
CTGGTTCGGATGCAAGTAGTCAG   
AAACTCACTGAACATGATCCTGGC
【０２１１】
（染色体3上のsh2対立遺伝子の分子マーカー用のプライマー）
umc2174:      
ACATAAATAAAACGTGTGCCGCAG 
GTACGTACGCAGCCACTTGTCAG 
dupssr33:
GTGCTTGGGACAAAAAGG   
AGTCCACTCCAGAGGATG  
bmc1257:
CGGACGATCTTATGCAAACA   
ACGGTCTGCGACAGGATATT  
umc2277:
CTCTTCACGCTCAATAAACCCAGT   
TAACTGCAGAAACGGTGGTCAATA
【０２１２】
（染色体4上のsu1対立遺伝子の分子マーカー用のプライマー）
phi295450:
CCTTTTCATGTTGCTTTCCC  
GCCCAATCCTTCCTTCCT  
phi308090:
CAGTCTGCCACGAAGCAA  
CTGTCGGTTTCGGTCTTCTT 
phi076:
TTCTTCCGCGGCTTCAATTTGACC  
GCATCAGGACCCGCAGAGTC   
phi079:
TGGTGCTCGTTGCCAAATCTACGA    
GCAGTGGTGGTTTCGAACAGACAA   
【０２１３】
市販のトウモロコシマーカーライブラリ、具体的には単純反復配列（SSR）は形質識別
のために用いられることができ、および当業者に周知の供給元から調達することができる
。例えば、STA Laboratories（Longmont、CO）は、種子、植物育種、アイソエレクトリッ
クフォーカシング（IEF）を用いたハイブリッド純度および品種の同定に関連する市販の
分子マーカーおよびマッピングサービスを提供する。この会社は、特異的なスイートコー
ン変異対立遺伝子の同定しおよび組み込み用の分子サービスを提供する。
【０２１４】
本発明による方法を導いた実験では、市販のトウモロコシマーカーライブラリ、具体的
には、単純反復配列（SSR）が取得されて、形質同定に用いられ、約330のSSRマーカーが
、主にsugary-1（su1）、sugary enhancer-1（se1）およびshrunken-2（sh2）の公開され
ているゲノム染色体部位を対象として検定された。
【０２１５】
SSRマーカーライブラリと共に、専用（proprietary）のスイートコーンNIL（準同質遺
伝子系統）が用いられ、マーカー有効性が評価され、また、変異sh2-i遺伝子との組み合
わせのための特異的な好ましい変異対立遺伝子が作製された。特に重要な準同質遺伝子系
統は以下の通りであった。
(i)  Su1Su1 se1se1 sh2sh2
(ii)  su1su1 se1se1 sh2sh2
【０２１６】
植物の分子マーカーライブラリおよび遺伝子地図の活用法についての付加的情報はA. K
alinskiによる、"Molecular Markers in Plant Genome Analysis" (Diane Publishing Co
., 1995)、および H. Lorz らによる, "Molecular Marker Systems in Plant Breeding a
nd Crop Improvement," (Springer, 2007)に記載されている。
【０２１７】
（植物を栽培および収穫する条件）
例えばスイートコーンなどの植物を適切におよびうまく植え、栽培しおよび収穫する方
法は当業者に既知である。一般的に、例えば、スイートコーンは、約1インチの深さで種
まきされ、十分な日光のもと、約6〜約6.5の範囲のpHを有する土壌にて栽培される。受精
は、スイートコーン植物が、背の高い品種では、約12インチの高さ、および他の品種では
約18"から約24"までの高さに達するとき、一般的に行われる。苗が発生したあと、スイー
トコーン植物は一般的におよそ64日で収穫される。当業者に周知のように、前述の条件は
多様であり得る。
【０２１８】
スイートコーンおよび他の植物をどのように植え、栽培し、および、収穫することがで
きるかについて記述する刊行物には、B.R. Lernerらによる、"Growing Sweet Corn," Dep
artment of Horticulture, Purdue University Cooperative Extension Service, Vegeta
bles HO-98-W, 1-3 (2001)、 J. R. Schultheisによる、"Sweet Corn Production," Nort
h Carolina Cooperative Extension Service, North Carolina State University, Revis
ed 12/94、 D. L. Larsonによる、 "Supersweet Sweet Corn: 50 Years in the Making,"
Inside Illinois Vol. 23, No. 3 (2003), University of Illinois at Urbana-Champai
gn News Bureau、および、 "Sweet Corn," Oregon State University, Horticulture 233
webpageなどがある。
【０２１９】
STA Laboratories社（Longmont、CO）は、苗成長力イメージングシステム（Seedling V
igor Imaging System：SVIS）やその他の種子分析サービスを用いて、物理的純度および
成長力分析を行う。登録種子科学技術者（Registered Seed Technologists：RST）は、米
国および海外の種子の表示規制に応じるための統一検定基準を保証する。STA Seed Healt
h Laboratories社は、米国健全種子システム（National Seed Health System（NSHS)）で
公認されたUSDAである。
【０２２０】
（他の変異）
本願明細書において記載されている変異対立遺伝子の一部またはすべてをコードするヌ
クレオチド配列の欠失、添加および置換は、通常の（変異のない）ヌクレオチド配列と実
質的に同じ表現型および特徴が表れる限り本発明の範囲内と考慮する。
【０２２１】
本発明の範囲内で考慮されるイントロンのヌクレオチド変異も、植物AGPポリペプチド
または他のタンパク質または酵素をコードする遺伝子の他の変異と関連または組み合わせ
て用いられ得る。これらの他の変異は、変異対立遺伝子を発現する植物で、例えば熱安定
性、耐病性および他の好ましい特徴の他の作物学的に好ましい形質を与える、野生型配列
の変異を含むが、これに限定されるものではない。
【０２２２】
Shrunken-2（sh2）ゲノムのヌクレオチド配列のイントロン2の末端ヌクレオチドの変異
は、本願明細書において特に例証される。しかしながら、他のShrunken-2（sh2）イント
ロンの末端ヌクレオチドの変異も、これらがイントロン2での変異と関連する特徴と実質
的に同じ特徴、すなわち、対立遺伝子を発現する植物に対して、野生型Shrunken-2（sh2
）の対立遺伝子を発現する植物と同等またはよりよい発芽および苗生長力を与え、さらに
、例えばSh2-R対立遺伝子など野生型以上の甘味を提供する変異体に匹敵するか、それよ
りも高い食品品質または味覚品質を有する限りにおいて、本発明の範囲内である。当業者
および本願明細書において記載されている教示に対する利益がある者は、遺伝子の他のイ
ントロンの変異を容易に調製することができ、また、変異するイントロンが植物に所望の
特徴を与えるかどうか決定することができる。
【０２２３】
本発明の範囲内で考慮される植物は、例えば、野菜または果実の高いショ糖含量および
発芽、苗および植物成長生長力が所望の特徴である、トウモロコシ、スイートピー、トマ
ト、バナナおよび他のいかなる植物を含む。本発明の範囲内で考慮される他の植物は本願
明細書において他で記載されているものを含む。また、本発明の範囲内で考慮されるのは
ここに記載されているポリヌクレオチドを含む植物材料、例えば植物組織、細胞または種
子である。
【０２２４】
（更なる参照文献）
次の更なる参照は、本発明を実施するにあたって関連し、且つ有効であり得る。T. Man
iatis et al., "Molecular Cloning: A Laboratory Manual" (2d Edition, Cold Spring 
Harbor Laboratory, Cold Spring Harbor, N.Y., 1989)、D.R. McCarty, "A Simple Meth
od for Extraction of RNA from Maize Tissue," Maize Genet. Coop. Newslett. 60: 61
(1986)、 A. Gutierrex-Rojas, "Phenotypic Characterization of Quality Protein Ma
ize Endosperm Modification and Amino Acid Contents in a Segregating Recombinant 
inbred Population," Crop Sci 48, 1714-1722 (2008)、 L. Hannah et al., "Character
ization of Adenosine Diphosphate Glucose Pyrophosphorylases from Developing Maiz
e Seeds," Plant Physiol. 55:297-302 (1975)、 L. Hannah et al., "Characterization
of ADP-Glucose Pyrophosphorylase from Shrunken-2 and Brittle-2 Mutants of Maize
," Biochemical Genetics 14(7,8): 547-560 (1976)、 M.J. Giroux et al., "ADP-Gluco
se Pyrophosphorylase in Shrunken-2 and Brittle-2 Mutants of Maize," Molecular & 
General Genetics 243(4): 400-408 (1994)、 L. Shailesh et al., "The AG Dinucleoti
de Terminating Introns is Important but not always Required for Pre-mRNA Splicin
g in the Maize Endosperm," Plant Physiology 120(1): 65-72 (1999)、 M. Clancy et 
al., "Maize Shrunken-1 Intron and Exon Regions Increase Gene Expression in Maize
Protoplasts," Plant Science 98:151-161 (1994)、 J. Callis et al., "Introns Incr
ease Gene Expression in Cultured Maize Cells." Genes & Development 1:1183-1200 (
1987)、 K.R. Luehrsenet al., "Intron Creation and Polyadenylation in Maize are D
irected by AU-rich RNA," Genes & Development 8:1117-1130 (1994)、 V.L. Van Sante
n et al., "Splicing of Plant Pre-mRNAs in Animal Systems and Vice Versa" Gene 56
:253-265 (1987)、 V. Vasil et al., "Increased Gene Expression by the First Intro
n of Maize Shrunken-1 Locus in Grass Species" Plant Physiol. 91:1575-1579 (1989)
、 J. Anderson et al., "The Encoded Primary Sequence of a Rice Seed ADP-glucose 
Pyrophosphorylase Subunit and Its Homology to the Bacterial Enzyme," The Journal
of Biological Chemistry 264(21): 12238-12242 (1989)、 J. Anderson et al., "Mole
cular Characterization of the Gene Encoding a Rice Endosperm-Specific ADP Glucos
e Pyrophosphorylase Subunit and its Developmental Pattern of Transcription," Gen
e. 97:199-205 (1991)、 L. Copeland et al., "Purification of Spinach Leaf ADPgluc
ose Pyrophosphorylase," Plant Physiol. 68:996-1001 (1981)、 M. Morellet al., "Af
finity Labeling of the Allosteric Activator Site(s) of Spinach Leaf ADP-glucose 
Pyrophosphorylase," The Journal of Biological Chemistry 263(2): 633-637 (1988)、
B. Muller-Roberet al., "One of two Different ADP-Glucose Pyrophosphorylase Gene
s from Potato Responds Strongly to Elevated Levels of Sucrose," Mol. Gen. Genet.
, 224:136-146 (1990)、 P. Nakata et al, "Comparison of the Primary Sequences of 
Two Potato Tuber ADP-Glucose Pyrophosphorylase Subunits," Plant Molecular Biolog
y 17:1089-1093 (1991)、 T. Okita et al, "The Subunit Structure of Potato Tuber A
DPglucose Pyrophosphorylase," Plant Physiol. 93:785-790 (1990)、 M. Olive et al,
"Isolation and Nucleotide Sequences of cDNA Clones Encoding ADP-Glucose Pyropho
sphorylase Polypeptides from Wheat Leaf and Endosperm," Plant Molecular Biology 
12:525-538 (1989)、 B. Keith et al, "Monocot and Dicot Pre-mRNAs are Processed w
ith Different Efficiencies in Transgenic Tobacco," EMBO J. 5(10): 2419-2425 (198
6)、 and Z. Kiss-Laszloet al., "Splicing of Cauliflower Mosaic Virus 35S RNA is 
Essential for Viral Infectivity," EMJO J. 14(14): 3552-3562 (1995)。
【０２２５】
（成分、材料および器材の供給元）
実施例において使用され、通常、本発明の方法で使用される成分、材料および器材のす
べては当業者に既知の供給元から市販される。例えば、Abbott and Cobb社（Trevose、PA
)、the Maize Stock Center (Urbana/Champaign, IL)、 STA Laboratories (Longmont, C
O)、 GenBank (Bethesda, MD)、 The Maize Genetics and Genomics Database、 the Ame
rican Tissue Culture Collection (ATCC) (Rockville, MD)、 Applied Biosystems (Fos
ter City, CA)、 Response Genetics社 (Los Angeles, CA)、 Transgenomic (Omaha, NE)
、 DiaPharma Group社 (West Chester, OH)、 Biomol GmbH (Hamburg, Germany)、 DxS L
td. (Manchester, UK)、 Invitrogen (Carlsbad, CA)、 Syngenta Seeds社 (Stanton, MN
)、 Rogers (Wilmington, DE)、 Monsanto Corporation (St. Louis, MO)、 Garst Seed 
Company (Slater, IA)、 Holden Foundation Seed (Williamsburg, IA)、 The Universit
y of Florida (Gainesville, FL)、 Life Technologies (Gaithersburg, MD)、 Alpha In
notech Corporation (San Leandro, CA)、 Amersham International PLC (Arlington Hei
ghts, IL)、 and Molecular Dynalics (Sunnyvalle, CA)である。例えば、アプライドバ
イオシステムは、そのウェブサイト(applied biosystems dot com) およびその他を通じ
てＤＮＡ塩基配列決定、（ライ
ゲーション、キャピラリー電気泳動などによる）DNA合成、DNAおよびRNA変更および標識
化、DNAおよびRNA精製、遺伝子発現、遺伝子型決定、PCR、ペプチド合成、タンパク質配
列、転写、翻訳、様々なアッセイのための、多種多様な製品およびコンピュータソフトウ
ェアを国際的に販売する。これらは、例えば、本発明を実施するために当業者によって容
易に使用され得る発現ベクター、プローブ、プライマーなどである。
【０２２６】
次の実施例は、本発明の方法を図と共に説明する。これらの実施例は、単に本発明の実
例とすることだけを目的とし、範囲および趣旨のどちらも制限しない。当業者は、実施例
に記載されている方法において使用されるその条件の特定の変異および／またはステップ
を使用することができると容易に理解するであろう。これらの実験がスイートコーン穀粒
および植物を用いて行われたが、そこにおいて記載されている同じ方法は、他の植物種子
および植物、例えば本願明細書において他で記載されているものに使用され得る。
【０２２７】
（実施例1）
（親およびインブレッド準同質遺伝子系統（NIL）の作成）
この実施例で記載されている実験において、変異sh2-i遺伝子を含んでいるスイートコ
ーンの炭水化物蓄積量の範囲および果皮柔軟性を操作するという問題を解決するために、
適切な親の準同質遺伝子系統（NIL）は、以下に記載した方法および／または当業者に既
知の方法により、以下の遺伝子型で構成される。
(1)    Su1Su1 Se1Se1 sh2sh2 ＝標準の食感品質を有する、従来の市販の「スーパースイ
ート」タイプ
(2)    Su1Su1 se1se1 sh2sh2 ＝非常に望ましい食感品質を有する、従来の市販の「スー
パースイート」タイプ
(3)    su1su1 se1se1 sh2sh2 ＝別格の食感品質を有する新種の限られた市販タイプ
【０２２８】
STA Laboratories社（Longmont, CO）は、識別および特定のスイートコーン変異対立遺
伝子を同定し、トウモロコシ植物のゲノムに組み込む分子サービスの提供を支援してきた
。市販の適切な、トウモロコシマーカーライブラリ、具体的には、単純反復配列（SSR）
は、形質同定のために取得されてきた。約330のSSRマーカーが、主にsu1、se1およびsh2
を対象の公開されているゲノム染色体部位を対象として検定された。
【０２２９】
NILを、当業者に既知の、反復親を適切に再構築するための方法で、十分な回数にわた
り戻し交雑および自家授粉した。
【０２３０】
分子マーカーは、当業者に既知の、特にsu1およびse1変異対立遺伝子の識別を助けるた
めの方法で利用された。これらの分子マーカーは、sh2-i変異遺伝子を組み込むことによ
り、su1、se1またはsh2変異遺伝子の発現を被覆する優性表現型が提供されるという点で
、変異遺伝子型の識別に有効であった。
【０２３１】
最初に使用することを特に考慮されたのはsu1su1 se1se1 sh2sh2 NILトリプル劣性の対
立遺伝子の併用であった。この特異的な組合せは、トウモロコシに対するsh2-i遺伝子の
組み込みに伴う澱粉の急速な蓄積を相殺することができる澱粉欠陥遺伝子の戦略的な組み
合わせとして選ばれた。そして反復親であるsu1su1 se1se1 sh2sh2 NILの戻し交雑は、フ
ロリダ大学のC. L. ハンナ博士によって提供されたドナーsh2-i源を使用して始められた
。（変異sh2-i遺伝子（およびその配列）は、米国特許第6,184,438号B1において詳細に図
と共に記載されている。）この遺伝子供給源は、su1およびse1遺伝子の状態を決定するた
めに適切な遺伝子系統へ検定交雑された。検定交雑の結果により、供給源は、sugary-1（
su1）およびsugary enhancer（se1）遺伝子に関連するSu1Su1 Se1Se1であることを確認で
きた。
【０２３２】
BC1-S1個体群由来のコーンの穂先は、表現型的に調べられた。（BC1-S1はA&C育種個体
群であり、および用語「BC1-S1」は最終産物の進行に関する時の、遺伝学的な、または植
物育種家の用語である。本例での最終産物は、sh2-i変異対立遺伝子を添加するべき反復
親の再構成である。）su1、sh2およびsh2-i穀粒タイプを単離するBC1-S1穂先のみが、連
続して戻し交雑する（continued backcrossing）ために選択された。変異sh2sh2形態学的
穀粒外観は、乾燥種子が外観上、半透明であり、非常にしぼんでおり、およびしわが寄っ
ているという点で異なっている。変異sh2-i穀粒表現型は、なめらかで、より重く、よく
ふくらんでおり、フリント飼料用コーン（なめらかな外被を有する丸い穀粒を有している
）に外観が良く似ている。図10に示し、また、本願明細書の他の箇所で説明するように、
穀粒表現型は分子マーカーによって確認される。結果的に、BC2-S1選択穂先について、た
った2つの表現型に限定されたことは、sh2-i遺伝子を発現する穀粒は、su1su1 sh2sh2遺
伝的背景に重ねられたものであるということの確認になった。
【０２３３】
そして、BC1-S1選択sh2-i表現型由来の穀粒が、植えられ、およびse1se1の遺伝子確認
されたインブレッドに検定交雑された。分子マーカー遺伝子確認は、付随して実行された
。ホモ接合se1検定交雑で陽性であり、se1分子確定（molecular confirmation）を示して
いる植物のみ、連続して戻し交雑し、自家受精および検定交雑し続けた。戻し交雑、自家
受精および検定交雑、並びに分子確定は、6サイクル連続させた。この時点で、変異sh2-i
遺伝子を包含させることによって、元々のsu1su1 se1se1 sh2sh2 NILは、適切に変換され
たと考えられた。これらの、表現型的および分子的に確認された、トウモロコシの穂先が
、su1su1 se1se1遺伝的背景の上に重ねられたsh2-i穀粒になったことを確認した。結果と
して生じる穀粒表現型は、なめらかで、ふくらんでいで、および比較的重い穀粒を有する
外観上はsh2-i遺伝子を発現する穀粒の表現型と、主に類似だった。
【０２３４】
su1su1 se1se1 sh2sh2 NILインブレッドsh2-i転換穀粒について、実験用の暖温土およ
び低温土での発芽試験を行い、変異sh2-i遺伝子（およびドナーsh2-i）に関連する良好な
苗特性を検査した。実際の低温フィールド土壌試験も行って、改良された発芽および苗生
長力を更に確認した。
【０２３５】
su1su1 se1se1 sh2sh2 NILについて、そのsh2-i対照物の穀粒に対して官能味覚試験を
実行すると、澱粉合成が僅かに上昇したが、有意ではなかった。
【０２３６】
図10-1〜図10-21は、個々のインブレッドのNILサンプルの分子地図である。この分子地
図において、
・ サンプル1-2（それぞれ、017および044）は、遺伝的に、Su1Su1 Se1Se1 sh2sh2である
。
・ サンプル3-7（それぞれ、006、007、009、047および637）は、遺伝的に、Su1Su1 se1s
e1 sh2sh2である。 
・ サンプル8-13（それぞれ、001、046、048、049、109および354）は、遺伝的に、su1su
1 se1se1 sh2sh2である。
・ サンプル14は、変異sh2-i遺伝子の供給源である。
【０２３７】
図10-1〜図10-21に、Se1、Su1およびSh2サイトとして特徴づけられたといわれている染
色体領域を強調表示する。多数の分子マーカーは、遺伝子型の同定において有効であった
。特に、「umc 1551」と表わされる分子マーカーは、se1se1キャラクタリゼーションにお
いて効果的であり、および「phi 079」として表わされる分子マーカーは、su1su1同定を
行う際に、同じように効果的であった。図10-1〜図10-21に示される多数の他のマーカー
は、マーカー支援割当を行ううえで、単独でまたは組み合わせで有用だった。
【０２３８】
（実施例２）
（分子マーカーおよびse1se1/su1su1遺伝的背景を使用したスイートコーンハイブリッ
ドACX SS 7501Yの生産、およびその試験）
【０２３９】
この実施例で記載されている実験において、ACX SS 7501Yと表すスイートコーンハイブ
リッドが開発され、および試験された。
【０２４０】
変異sh2-i遺伝子は、実施例1で述べられるように、選択されたインブレッドコーン系統
に組み込まれた。これらのインブレッドは、園芸基準および種子生産基準に基づいて選択
された。
【０２４１】
ピークの食用段階後の容認できない澱粉合成および蓄積により、2つのsh2-i親のコーン
系統の使用に基づくハイブリッドを作ることはできないことが、官能試験によって明らか
になった。最良の代替案は、高品質の従来の雄性親のコーン系統と、sh2-i雌性コーン系
統とを掛け合わせた構成のハイブリッド世代であることが確認された。
【０２４２】
商業的なトウモロコシ生産では、sh2-i転換インブレッドは、雌性親系統としてのみ使
用されることとなった。この結論は多くの要因を根拠とする。雌性親としてsh2-i転換親
を使用する、かかる要因のひとつは、その穀粒果皮が2Nであり、母性遺伝したという事実
に基づくものである。雌性親としてsh2-i親を利用することで、sh2-i遺伝子の強化された
発芽力および苗生長特徴が維持される。加えて、商業的な種子生産収率は、sh2-i種子の
親系統の優れた発芽及び成長力の結果として、大幅に改良されるであろう。
【０２４３】
戦略的に、雄性親の遺伝子型は、所望の園芸品質を与える能力以外に、主に、高い食感
品質への寄与に基づいて選択された。su1su1 se1se1 sh2sh2変異対立遺伝子を含む、雄性
親の遺伝子型が使用された。
【０２４４】
上述のようにして作ったスイートコーンハイブリッドの官能評価は当業者に既知である
方法を使用して行われた。かかるハイブリッドは、その発芽、苗生長力および全体として
の作物生産性が高められたことから、コーン栽培家に有意な利益を与えると見られていた
。加えて、これらのハイブリッド商品の消費者は、商品食感品質および貯蔵寿命の延長に
関する有益な利益を享受した。
【０２４５】
図7は、ピークの食用段階の直後7日の一定期間にわたる3つのスイートコーン品種の比
較官能糖質のスコアを示す。商業品種Passionは、モンサント(St. Louis, MO)を通じて販
売および流通される。商業品種Beyondは、Abbott and Cobb社 (Trevose, PA)を通じて販
売および流通され、主に東南の商業海運市場で標準的に取り扱われる。ACX SS 7501Yとし
て表される品種は、実施例1および2に従って作られるハイブリット品種である。官能スコ
アは、1（相当な澱粉風味を有し、甘味が非常に少ない）から10（ほとんど澱粉風味の無
い甘味）までの範囲である。図7は、ACX SS 7501Yハイブリッドコーン品種は非常に有利
に官能甘味スコアを、この7日間の間、常にPassionおよびBeyondの両コーン品種を超えて
維持し、PassionおよびBeyondコーン品種とは対照的に、最も食用に適した段階を1〜2日
過ぎてもスコア10を維持したことを示す。また、ACX SS 7501Yハイブリッドコーン品種が
、（Passionはスコア約5であり、Beyondはスコア約3であったことと比較して）7日目では
官能甘味スコア約8を有していることを示す。7日の試験期間にわたって、PassionおよびB
eyondの比較品種と比べて、ACX SS 7501Yハイブリッドコーン品種は非常に高い甘味水準
を保持し、維持した。
【０２４６】
図8は、ピークの食用段階の直後の7日間にわたる、図7に示されるものと同じ3つのスイ
ートコーン品種の間を比較した官能果皮および柔らかさのスコアを示す。官能スコアは、
1（非常に堅い果皮）から10（非常に柔らかい果皮）まで変動する。図8は、ACX SS 7501Y
ハイブリッドコーン品種は、非常に有利に、この7日間、常にPassionおよびBeyondコーン
品種よりも高い官能果皮および柔らかさのスコアを維持したことを示す。また、ACX SS 7
501Yハイブリッドコーン品種は、7日目に官能果皮および柔らかさのスコア約7であったこ
とを示す（これに対して、Passionはスコア約5であり、Beyondはスコア約2であった）。7
日の試験期間にわたって、ACX SS 7501Yハイブリッドコーン品種は、PassionおよびBeyon
dの比較品種と比べて非常に高い果皮柔軟性水準を保持し、維持した。ACX SS 7501Yハイ
ブリッドコーン品種は、非常に柔らかくて、および優れた保持能力を有することが認めら
れた。
【０２４７】
（実施例3）
（分子マーカーおよびse1se1/su1su1遺伝的背景を使用したスイートコーンハイブリッ
ドACX SS 7078YおよびACX SS 7403RY生産、およびその試験）
この実施例で記載されている実験において、更なるスイートコーンハイブリッドはsh2-
i遺伝子を利用して作成され、そしてその後に試験される。それらのハイブリッドは、実
施例1および2に記載されている、スイートコーンハイブリッドACX SS 7501Yのための品種
改良方法と同様の品種改良方法に従って作られた。両方の品種は、se1se1およびsu1su1遺
伝的背景の上に、本明細書中に既に記載した分子マーカーを利用して、sh2-i遺伝子を重
ねることによって作られた。
【０２４８】
その結果生じた、特に重要な2つsh2-iスイートコーンハイブリッドは、ACX SS 7078Yお
よびACX SS 7403RYと表わされるものであった。スイートコーンハイブリッドACX SS 7078
Yは、ゲノムに組み込まれたはsh2-i変異対立遺伝子を有さないACX 1073YというAbbott an
d Cobb社の市販のハイブリッドのアイソジェニック変換体（isogenic conversion）であ
る。同じように、ACX SS 7403RYは、ゲノムに組み込まれたはsh2-i変異対立遺伝子を有さ
ないACX 7473RYというAbbott and Cobb社 の市販品種のアイソジェニック変換体である。
これらの、sh2-i遺伝子を含む両方のハイブリッドの開発において、これらのアイソジェ
ニックハイブリッドは、本願明細書において記載されていておよび／または当業者に公知
である方法を使用して同定される場合、園芸的特徴および形態学的特徴のすべてにおいて
、ほとんど同一であることがわかった。
【０２４９】
表3に、スイートコーン品種ACX1073Y、ACX SS 7078Y、ACX 7473 RYおよびACX SS7403RY
についての、官能試験の結果得られたデータと、研究室における暖温および低温での発芽
の実際の比較の結果得られたデータを示す。発芽データは、100個の穀粒について３回反
復実験した値の平均値を反映したものであり、同一アルファベットを付していない発芽ス
コアは、ダンカンの新多重範囲検定による確率水準0.05にて有意に異なる値である。本明
細書では、甘さ及び果皮柔軟性についての官能試験については既に記述した。図３は、sh
2-i突然変異遺伝子がスイートコーンゲノムに加えられた両方の場合において、アイソジ
ェニックハイブリッド比較の暖温および低温び研究室スコアが高められたことを示し、そ
れは強化されたフィールド発生および生長力を示す。表3はまた、変異sh2-i遺伝子を含ん
でいる2つのスイートコーン品種が、この遺伝子を含まなかった2つのスイートコーン品種
（最も食用に適した段階直後の7日間において7日目にスコア6または5を有する）より非常
に有利に、より長くそれらの甘味を保持したこと（7日目にスコア8を有する）を示し、お
よび、遺伝子を含まない2つのスイートコーン品種（最も食用に適した段階直後の7日間に
おいて7日目にスコア6または5を有する）よりも、より長く果皮の柔らかさの保持を有し
た（7日目にスコア7を有する）ことを示す。表3に示す甘味および果皮柔軟性スコアは、
付随の好ましい貯蔵寿命および保持している能力とともに、良好な食感品質水準を示す。
【表３】
0005852723.tif 000004
【０２５０】
（実施例4）
（分子マーカー、並びにse1se1/su1su1遺伝的背景を使用しないスイートコーンハイブ
リッドAC 151YとAC188Wの生産、およびそれらの試験）
この実施例に記載されている実験において、sh2-i遺伝子を利用して更なるスイートコ
ーンハイブリッドが開発され、試験された。これらのハイブリッドは、実施例1、2および
3に記載されているのと同じ品種改良方法に従って作られたが、例外的に、変異sh2-i遺伝
子を含むインブレッド系統は、すでに本願明細書で記載するような分子マーカーを利用せ
ずに、且つse1se1/su1su1対立遺伝子を組み込まずに作られた。対照的に、本実施例では
、分子マーカーを利用してse1se1およびsu1su1遺伝的背景の上にsh2-i遺伝子の配列を重
ねる前に、遺伝子アセンブリ（genetic assembly)を構築することは必要であると考えら
れた。
【０２５１】
特に重要な作成されたスイートコーンsh2-iハイブリッドは、AC 151YおよびAC 188Wと
表されるものである。
【０２５２】
インブレッド系統AC 151Y（変異sh2-i遺伝子を含む）は、AC 128Y（変異sh2-i遺伝子を
含まない）として表わされるAbbott and Cobb社のインブレッドのアイソジェニック対照
物である。この実施例のこれらの2つのインブレッド系統との間の唯一の有意な遺伝子の
相違は、インブレッド系統AC 151Yの変異sh2-i遺伝子の存在である。
【０２５３】
インブリッド系統AC 188W（変異sh2-i遺伝子を含む）は、ACR 5147WというAbbott and 
Cobb社 ハイブリッド（変異sh2-i遺伝子をゲノムに含まない）のアイソジェニック対照物
である。ここでも、この実施例のこれらの2つのインブリッド系統間の唯一の有意な遺伝
子の相違は、AC 188Wの変異sh2-i遺伝子の存在である。
【０２５４】
下記の表4は、スイートコーン品種AC 151Y、AC 128Y、AC 188W およびAC 116Wの、研究
室での暖温および低温発芽データおよび官能試験の結果を実際に比較したデータを示す。
発芽スコアは、100個の穀粒について３回反復実験した値の平均値である。同一アルファ
ベットを付していない研究室スコアは、ダンカンの新多重範囲検定による確率水準0.05に
て有意に異なる値である。甘味および果皮柔軟性に関する官能試験は、本明細書で既に記
載されている。表4は、sh2-i変異遺伝子がスイートコーンゲノムに加えられた両方の場合
において、アイソジェニックのハイブリッド対照体の暖温および低温研究室スコアは高め
られたことを示し、それは強化されたフィールド発芽および生長力を示す。しかしながら
、表4はまた、この遺伝子を含まない2つのスイートコーン品種（最も食用に適した段階直
後7日間の7日目に、スコア5および7を有する）と比較すると、その変異sh2-i遺伝子を含
む2つのスイートコーン品種はより長くそれらの甘味を保持しなかった（７日目にスコア2
および3を有する）ことを示し、そして、この遺伝子を有しない2つのスイートコーン品種
（最も食用に適した段階直後の7日間の7日目にスコア3および2を有する）と比較して、よ
り長く果肉の柔軟性を保持しなかった（7日目にスコア1および2を有する）ことを示す。
表4に示した甘味および果皮柔軟性スコアは、se1se1およびsu1su1の遺伝的背景に対する
、配列の重なりなしでの変異sh2-i遺伝子のインブレッドへの組込みは、すでに述べたよ
うに、全体としての食感品質（甘味および果皮柔軟性）については効果的ではなく、むし
ろ有害な効果をもたらすことを示唆する。
【０２５５】
上記に鑑みて、植物栽培者および消費者が所望する利益を最大限得るために、すでに述
べた方法で、変異sh2-i遺伝子材料をまとめて、その構築に導く（すなわち、分子マーカ
ーおよびse1se1およびsu1su1遺伝的背景を用いる）ことは、非常に好ましい（またはさら
に必要）と、考えられる。
【表４】
0005852723.tif 000005
【０２５６】
（実施例5）
（スイートコーンハイブリッドACX SS 7501Y、ACX SS 7078YおよびACX SS 7403RYの様
々な物理的特性の比較）
この実施例で記載されている実験において、スイートコーンハイブリッドACX SS 7501Y
、ACX SS 7078YおよびACX SS 7403RY（これらすべてが変異sh2-i遺伝子をゲノムに含み、
および本願明細書において記載される有益な利益を有する）の物理的特性を調査し、当業
者に既知である方法を使用して比較した。これらの試験および比較の結果は、下記の表5
に記載される。表5の各々の欄において、スイートコーンハイブリッドACX SS 7501Yのデ
ータ、スイートコーンハイブリッドACX SS 7078Yのデータ、スイートコーンハイブリッド
ACX SS 7403Yのデータが示されている。表5において、用語「成熟」は、成長するまでの
、ハイブリッドが植えられた時からの経過日数を指す。
【表５】
0005852723.tif 000006
【０２５７】
スイートコーンハイブリッドACX SS 7501Y、ACX SS 7078YおよびACX SS 7403RYの種子
は、2009年8月11日上の微生物の寄託の国際的承認に関するブダペスト条約の下で、アメ
リカン・タイプ・カルチャー・コレクション（ATCC）(Manassas, VA）に寄託された。
【０２５８】
本発明が本願明細書において特異的におよびその特定の好ましい実施例に関して記載さ
れていたが、記載されていた、可能な、そして本発明の範囲および主旨から逸脱しない多
数の改変、修正および置換は、当業者に認識されるであろう。これらの修正及び改変のす
べては、それが本願明細書において記載されおよび請求される本発明の範囲内であり、本
発明は請求項の範囲によってのみ制限され、これらの請求項は妥当に広く解釈されたい。
【０２５９】
この文書中で、様々な本、特許、論文記事、ウェブサイトおよび他の刊行物が引用され
た。各々のこれらの本、特許、論文記事、ウェブサイトおよび他の刊行物の全体は、ここ
で本願明細書に引用したものとする。
【図１】
0005852723.tif 000007
【図２】
0005852723.tif 000008
【図３】
0005852723.tif 000009
【図４】
0005852723.tif 000010
【図５】
0005852723.tif 000011
【図６】
0005852723.tif 000012
【図７】
0005852723.tif 000013
【図８】
0005852723.tif 000014
【図９】
0005852723.tif 000015
【図１０−１】
0005852723.tif 000016
【図１０−２】
0005852723.tif 000017
【図１０−３】
0005852723.tif 000018
【図１０−４】
0005852723.tif 000019
【図１０−５】
0005852723.tif 000020
【図１０−６】
0005852723.tif 000021
【図１０−７】
0005852723.tif 000022
【図１０−８】
0005852723.tif 000023
【図１０−９】
0005852723.tif 000024
【図１０−１０】
0005852723.tif 000025
【図１０−１１】
0005852723.tif 000026
【図１０−１２】
0005852723.tif 000027
【図１０−１３】
0005852723.tif 000028
【図１０−１４】
0005852723.tif 000029
【図１０−１５】
0005852723.tif 000030
【図１０−１６】
0005852723.tif 000031
【図１０−１７】
0005852723.tif 000032
【図１０−１８】
0005852723.tif 000033
【図１０−１９】
0005852723.tif 000034
【図１０−２０】
0005852723.tif 000035
【図１０−２１】
0005852723.tif 000036
【配列表】
0005852723000001.app